(57)【要約】【課題】専用の吹き出し口を設けなくても、部屋内の快適性を維持することができる空気調和機の提供。【解決手段】空気調和機１００は、化粧パネル２０と、フラップ２２ａ，２２ｂと、制御部６０とを備えている。化粧パネル２０には、吹き出し開口２４ａ，２４ｂが形成されている。フラップ２２ａ，２２ｂは、吹き出し開口２４ａ，２４ｂから所定の風向範囲内に吹き出す空気の吹き出し方向である第１風向と、吹き出し開口２４ａ，２４ｂから所定の風向範囲よりも部屋の壁面側に吹き出す空気の吹き出し方向である第２風向とを切り換え可能である。制御部６０は、部屋内の温度が安定しているか否かを判定し、部屋内の温度が安定していない状態である第１状態の場合には、第１風向となるように、フラップ２２ａ，２２ｂの切り換え動作を制御する。さらに、制御部６０は、第１状態とは別の状態である所定の第２状態である場合には、第２風向となるように、フラップ２２ａ，２２ｂの切り換え動作を制御する。【選択図】図５
2009210257.tif 000002
【特許請求の範囲】
【請求項１】
吹き出し開口が形成されているケーシング（２０，１１３）と、
前記吹き出し開口（２４ａ，２４ｂ，１２４）から所定の風向範囲内に吹き出す空気の吹き出し方向である第１風向（Ａ１，Ａ３）と、前記吹き出し開口から前記所定の風向範囲よりも部屋の壁面（Ｗ，Ｗ１）側に吹き出す空気の吹き出し方向である第２風向（Ａ２，Ａ４）とを切り換え可能な風向調整部（２２ａ，２２ｂ，１２２）と、
前記部屋内の温度が安定しているか否かを判定し、前記温度が安定していない状態である第１状態の場合は前記第１風向となるように前記風向調整部の切り換え動作を制御し、前記第１状態とは別の状態である所定の第２状態の場合は前記第２風向となるように前記風向調整部の切り換え動作を制御する制御部（６０）と、
を備える空気調和機（１００）。
【請求項２】
前記ケーシング（２０）には、前記吹き出し開口とは別に、前記部屋内の空気を取り込むための吸い込み開口（２３）が形成されており、
前記吸い込み開口は、前記吹き出し開口よりも前記壁面側に設けられている、
請求項１に記載の空気調和機。
【請求項３】
前記ケーシング（１１３）は、前記部屋の壁面に取り付けられている、
請求項１に記載の空気調和機。
【請求項４】
前記部屋内の温度情報を取得する機能を有する取得部（６１）を更に備え、
前記制御部は、暖房運転時において、前記吹き出し開口からの空気の吹き出し方向が前記第２風向である場合に、前記取得部を前記機能が停止している状態である機能停止状態にすることが可能である、
請求項１から３のいずれかに記載の空気調和機。
【請求項５】
前記制御部は、前記吹き出し開口からの空気の吹き出し方向が前記第２風向から前記第１風向に切り換わった時から第１所定時間が経過するまで、前記取得部を前記機能停止状態にすることが可能である、
請求項４に記載の空気調和機。
【請求項６】
前記制御部は、前記部屋内の温度が安定しているか否かを判定する判定部（６２）を有し、
前記判定部は、前記部屋内の温度情報を利用して算出される前記部屋内の温度と予め設定されている設定温度との差が所定範囲内であるという第１条件、前記暖房運転を含む空気調和運転の運転開始時から第２所定時間以上経過しているという第２条件、前記取得部が前記機能停止状態になった時から第３所定時間以上経過している第３条件、および、前記吹き出し開口からの空気の吹き出し方向が前記第１風向である状態が第５所定時間以上経過しているという第４条件のうちの少なくとも１つの条件を満たしている場合に、前記部屋内の温度が安定していると判定する、
請求項４または５に記載の空気調和機。
【請求項７】
前記ケーシング内に取り込まれた前記部屋内の空気との間で熱交換を行う熱交換器（４，１０４）を更に備え、
前記制御部は、前記風向調整部が前記第１風向から前記第２風向に切り換えられてから第４所定時間以上経過しているという第１切り換え条件、前記熱交換器の温度が所定温度以上であるという第２切り換え条件、前記温度情報を利用して算出される前記部屋内の温度と予め設定されている設定温度との差が前記所定範囲外であるという第３切り換え条件、および、除霜運転が行われているという第４切り換え条件のうちの少なくとも１つの切り換え条件を満たす場合に、前記第２風向から前記第１風向に前記風向調整部の切り換え動作を制御する、
請求項６に記載の空気調和機。
【請求項８】
前記制御部は、前記部屋内の温度が安定しているか否かを判定する判定部（６２）を有し、
前記判定部は、前記部屋内の温度情報を利用して算出される前記部屋内の温度と予め設定されている設定温度との差が所定範囲内であるという第１条件、空気調和運転の運転開始時から第６所定時間以上経過しているという第２条件、前記部屋内の温度情報を取得する機能を有する取得部の前記機能が停止している状態である機能停止状態から第７所定時間以上経過している第３条件、および、前記吹き出し開口からの空気の吹き出し方向が前記第１風向である状態が第８所定時間以上経過しているという第４条件のうちの少なくとも１つの条件を満たしている場合に、前記部屋内の温度が安定していると判定する、
請求項１に記載の空気調和機。
【請求項９】
前記ケーシング内に取り込まれた前記部屋内の空気との間で熱交換を行う熱交換器（４，１０４）を更に備え、
前記制御部は、前記風向調整部が前記第１風向から前記第２風向に切り換えられてから第９所定時間以上経過しているという第１切り換え条件、前記熱交換器の温度が所定温度以上であるという第２切り換え条件、前記温度情報を利用して算出される前記部屋内の温度と予め設定されている設定温度との差が前記所定範囲外であるという第３切り換え条件、および、除霜運転が行われているという第４切り換え条件のうちの少なくとも１つの切り換え条件を満たす場合に、前記第２風向から前記第１風向に前記風向調整部の切り換え動作を制御する、
請求項８に記載の空気調和機。
【請求項１０】
前記ケーシング内に収容されており、前記吹き出し開口から吹き出される空気流を生成可能なファン（５，１０５）を更に備え、
前記制御部は、前記第２風向時に前記ファンが所定の風量となるように、前記ファンの回転を制御する、
請求項１から９のいずれかに記載の空気調和機。
【請求項１１】
前記制御部は、複数回に分けて前記ファンの回転数を変化させることで前記ファンが前記所定の風量となるように、前記ファンの回転を制御する、
請求項１０に記載の空気調和機。
【請求項１２】
前記制御部は、前記第１風向から前記第２風向に前記風向調整部の切り換え動作を制御する場合に、前記風向調整部の切り換え動作を制御する前に前記ファンが前記所定の風量となるように前記ファンの回転を制御する、
請求項１０または請求項１１に記載の空気調和機。
【請求項１３】
吹き出し開口（２２４ａ，２２４ｂ）が形成されているケーシングと、
前記吹き出し開口から第１風向範囲（Ｂ１）内に空気が吹き出される第１風向状態と、前記吹き出し開口から第２風向範囲（Ｂ２）内に空気が吹き出される第２風向状態とを切り換え可能な風向調整部（２２２ａ，２２２ｂ）と、
前記部屋内の温度が安定しているか否かを判定し、前記温度が安定していない状態である第１状態の場合は前記第１風向状態となるように前記風向調整部の切り換え動作を制御し、前記第１状態とは別の状態である所定の第２状態の場合は前記第２風向状態となるように前記風向調整部の切り換え動作を制御する制御部と、を備え、
前記第２風向範囲内に吹き出す空気の吹き出し方向である第２風向のうち最も部屋の壁面（Ｗ１）側に吹き出される第２最壁面側風向（Ａ８）は、前記第１風向範囲内に吹き出す空気の吹き出し方向である第１風向のうち最も前記壁面側に吹き出される第１最壁面側風向（Ａ６）よりも、前記壁面側に向かう風向であり、
前記第２風向のうち最も前記壁面側から遠くに吹き出される第２部屋側風向（Ａ７）は、前記第１風向のうち最も前記壁面側から遠くに吹き出される第１部屋側風向（Ａ５）よりも、前記壁面側に向かう風向である、
空気調和機。
【発明の詳細な説明】
【技術分野】
【０００１】
本発明は、エアバリアを形成する機能を有する空気調和機に関する。
【背景技術】
【０００２】
部屋内の空間には、年間を通じて屋外の温度の影響を受けにくい中央空間（以下、インテリアゾーンという）と、屋外の温度の影響を受けやすい窓や壁面近傍の空間（以下、ペリメータゾーンという）とが存在する。ペリメータゾーンが屋外の温度の影響を受けている場合、屋外の温度の影響を受けた空気がペリメータゾーンからインテリアゾーンに進出したりすることで、それぞれの空間の空気が拡散される。このため、例えば、インテリアゾーンに空調対象者が存在する場合、部屋内の空気調和が行われていても、屋外の温度の影響を受けた空気がインテリアゾーンに進出し空調対象者に接触することで、快適性を損なうおそれがある。
【０００３】
そこで、近年の空気調和機には、屋外の温度の影響を受けた空気がインテリアゾーンに進出することを防ぐために、窓や壁面近傍にエアバリアを形成する機能を有するものがある。例えば、特許文献１（特開２０００−３３７６５１号公報）に開示されている空気調和機は、エアバリアを形成するための専用の吹き出し口から窓や壁面近傍に向けて調和空気を吹き出すことで、ペリメータゾーンにエアバリアを形成する。この空気調和機では、窓や壁面近傍の空気がインテリアゾーンへ進出するおそれを減らしている。これによって、部屋内の快適性を維持している。
【発明の概要】
【発明が解決しようとする課題】
【０００４】
ところで、特許文献１に開示されている空気調和機では、ペリメータゾーンにエアバリアを形成するために、エアバリアを形成するための専用の吹き出し口が設けられている。
【０００５】
そこで、本発明の課題は、専用の吹き出し口を設けなくても、部屋内の快適性を維持することができる空気調和機を提供することにある。
【課題を解決するための手段】
【０００６】
第１発明に係る空気調和機は、ケーシングと、風向調整部と、制御部とを備えている。ケーシングには、吹き出し開口が形成されている。風向調整部は、第１風向と、第２風向とを切り換え可能である。第１風向とは、吹き出し開口から所定の風向範囲内に吹き出す空気の吹き出し方向である。また、第２風向とは、吹き出し開口から所定の風向範囲よりも部屋の壁面側に吹き出す空気の吹き出し方向である。制御部は、部屋内の温度が安定しているか否かを判定する。また、制御部は、部屋内の温度が安定していない状態である第１状態の場合には、第１風向となるように、風向調整部の切り換え動作を制御する。さらに、制御部は、第１状態とは別の状態である所定の第２状態である場合には、第２風向となるように、風向調整部の切り換え動作を制御する。
【０００７】
第１発明に係る空気調和機では、制御部は、所定の第２状態である場合、所定の風向範囲よりも部屋の壁面側に吹き出す空気の吹き出し方向である第２風向となるように、風向調整部の切り換え動作を制御する。このため、吹き出し開口から吹き出される空気の吹き出し方向を変更することによって所定の風向範囲よりも部屋の壁面側に空気を吹き出し、ペリメータゾーンにエアバリアを形成することができる。したがって、壁面近傍の空気がインテリアゾーンへ進出するおそれを減らすことができる。また、制御部は、部屋内の温度が安定していない状態である第１状態の場合、風向調整部の切り換え動作を制御して、空気の吹き出し方向を第１風向に切り換える。したがって、部屋内の温度が安定していない状態の場合には、空気の吹き出し方向が第１風向から第２風向に切り換えられないため、ペリメータゾーンよりもインテリアゾーンに多くの空気が吹き出されることになる。
【０００８】
これによって、専用の吹き出し開口を設けなくても、部屋内の快適性を維持することができる。
【０００９】
第２発明に係る空気調和機は、第１発明の空気調和機であって、ケーシングには、吹き出し開口とは別に、吸い込み開口が形成されている。吸い込み開口とは、部屋内の空気を取り込むための開口である。また、吸い込み開口は、吹き出し開口よりも壁面側に設けられている。このため、吹き出し開口が吸い込み開口よりも部屋の壁面側に設けられている空気調和機と比較して、インテリアゾーンに効率よく調和空気を吹き出すことができる。
【００１０】
これによって、部屋内の快適性を向上することができる。
【００１１】
第３発明に係る空気調和機は、第１発明の空気調和機であって、ケーシングは、部屋の壁面に取り付けられている。このため、この空気調和機では、部屋の壁面近傍からインテリアゾーンに調和空気を吹き出すことができる。
【００１２】
第４発明に係る空気調和機は、第１発明から第３発明のいずれかの空気調和機であって、取得部を更に備えている。取得部は、部屋内の温度情報を取得する機能を有している。また、制御部は、暖房運転時において、吹き出し開口からの空気の吹き出し方向が第２風向である場合に、取得部を機能が停止している状態である機能停止状態にすることが可能である。
【００１３】
例えば、吸い込み開口が吹き出し開口よりも部屋内の壁面側に設けられている空気調和機では、部屋内の壁面側に空気が吹き出される第２風向時には、調和空気が吹き出し開口から吹き出された直後に吸い込み開口から取り込まれる現象（以下、ショートサーキット現象という）が発生するおそれがある。また、暖房運転時であって吹き出し開口からの空気の吹き出し方向が第２風向である場合、吹き出し開口下側に吹き出された調和空気によってケーシング周辺が暖められるおそれがある。このため、取得部が常に機能している状態である場合、ショートサーキット現象が発生することで、または、ケーシング周辺が暖められることで、部屋内の温度情報を正確に取得できないおそれがある。しかし、この空気調和機では、暖房運転時であって空気の吹き出し方向が第２風向である場合、取得部を機能停止状態とすることができる。このため、不正確な温度情報を取得するおそれを減らすことができる。
【００１４】
第５発明に係る空気調和機は、第４発明の空気調和機であって、制御部は、吹き出し開口からの空気の吹き出し方向が第２風向から第１風向に切り換わった時から第１所定時間が経過するまで、取得部を機能停止状態にすることが可能である。
【００１５】
調和空気の吹き出し方向が第２風向から第１風向に切り換わった時からしばらくの間は、ショートサーキット現象が発生するおそれがある。しかしながら、第４発明の空気調和機では、空気の吹き出し方向が第２風向から第１風向に切り換わった時から第１所定時間が経過するまで取得部を機能停止状態とすることができる。このため、不正確な温度情報を取得するおそれを更に減らすことができる。
【００１６】
第６発明に係る空気調和機は、第４発明または第５発明の空気調和機であって、制御部は、部屋内の温度が安定しているか否かを判定する判定部を有する。判定部は、第１条件、第２条件、第３条件および第４条件のうちの少なくとも１つの条件を満たしている場合に、部屋内の温度が安定していると判定する。第１条件とは、部屋内の温度情報を利用して算出される部屋内の温度と、予め設定されている設定温度との差が所定範囲内であるという条件である。また、第２条件とは、暖房運転を含む空気調和機の運転開始時から第２所定時間以上経過しているという条件である。さらに、第３条件とは、取得部が機能停止状態になった時から第３所定時間以上経過しているという条件である。第４条件とは、吹き出し開口からの空気の吹き出し方向が第１風向である状態が第５所定時間以上経過しているという条件である。このため、この空気調和機では、部屋内の温度が安定しているか否かを判定することができる。
【００１７】
第７発明に係る空気調和機は、第６発明の空気調和機であって、熱交換機を更に備えている。熱交換器は、ケーシング内に取り込まれた部屋内の空気との間で熱交換を行う。また、制御部は、第１切り換え条件、第２切り換え条件、第３切り換え条件、および、第４切り換え条件のうちの少なくとも１つの切り換え条件を満たす場合に、第２風向から第１風向に風向調整部の切り換え動作を制御する。第１切り換え条件とは、風向調整部が、第１風向から第２風向に切り換えられてから第４所定時間以上経過しているという条件である。また、第２切り換え条件とは、熱交換器の温度が所定温度以上であるという条件である。さらに、第３切り換え条件とは、温度情報を利用して算出される部屋内の温度と予め設定されている設定温度との差が所定範囲外であるという条件である。第４切り換え条件とは、除霜運転が行われているという条件である。このため、この空気調和機では、風向調整部を第２風向から第１風向に切り換えることができる。
【００１８】
第８発明に係る空気調和機は、第１発明の空気調和機であって、制御部は、部屋内の温度が安定しているか否かを判定する判定部を有する。判定部は、第１条件、第２条件、第３条件および第４条件のうちの少なくとも１つの条件を満たしている場合に、部屋内の温度が安定していると判定する。第１条件とは、部屋内の温度情報を利用して算出される部屋内の温度と、予め設定されている設定温度との差が所定範囲内であるという条件である。また、第２条件とは、空気調和機の運転開始時から第６所定時間以上経過しているという条件である。さらに、第３条件とは、部屋内の温度情報を取得する機能を有する取得部の機能が停止している状態である機能停止状態から第７所定時間以上経過しているという条件である。第４条件とは、吹き出し開口からの空気の吹き出し方向が第１風向である状態が第８所定時間以上経過しているという条件である。このため、この空気調和機では、部屋内の温度が安定しているか否かを判定することができる。
【００１９】
第９発明に係る空気調和機は、第８発明の空気調和機であって、熱交換機を更に備えている。熱交換器は、ケーシング内に取り込まれた部屋内の空気との間で熱交換を行う。また、制御部は、第１切り換え条件、第２切り換え条件、第３切り換え条件、および、第４切り換え条件のうちの少なくとも１つの切り換え条件を満たす場合に、第２風向から第１風向に風向調整部の切り換え動作を制御する。第１切り換え条件とは、風向調整部が、第１風向から第２風向に切り換えられてから第９所定時間以上経過しているという条件である。また、第２切り換え条件とは、熱交換器の温度が所定温度以上であるという条件である。さらに、第３切り換え条件とは、温度情報を利用して算出される部屋内の温度と予め設定されている設定温度との差が所定範囲外であるという条件である。第４切り換え条件とは、除霜運転が行われているという条件である。このため、この空気調和機では、風向調整部を第２風向から第１風向に切り換えることができる。
【００２０】
第１０発明に係る空気調和機は、第１発明から第９発明のいずれかの空気調和機であって、吹き出し開口から吹き出される空気流を生成可能なファンを更に備えている。ファンは、ケーシング内に収容されている。また、制御部は、第２風向時に、ファンが所定の風量となるように、ファンの回転を制御する。このため、例えば、所定の風量をエアバリアの形成に必要となる最小限の風量に設定した場合、必要以上の風量でファンが回転される場合と比較して、省エネルギー効果を高めることができる。
【００２１】
第１１発明に係る空気調和機は、第１０発明の空気調和機であって、制御部は、複数回に分けてファンの回転数を変化させることでファンが所定の風量となるように、ファンの回転を制御する。このため、例えば、複数回に分けてファンの回転数を変化させない場合と比較して、急激なファンの回転音の変化を抑えることができる。
【００２２】
これによって、ファンの回転音が急に変化することによるユーザの不快感を抑えることができる。
【００２３】
第１２発明に係る空気調和機は、第１０発明または第１１発明の空気調和機であって、制御部は、第１風向から第２風向に風向調整部の切り換え動作を制御する場合に、風向調整部の切り換え動作を制御する前にファンが所定の風量となるようにファンの回転を制御する。例えば、風向が第１風向から第２風向に切り換えられている間、または、風向が第２風向に切り換えられた時の方が、風向が第１風向である時よりも、風向調整部によって吹き出し開口の開口面積が小さくなる場合には、風向が第２風向に切り換わってからファンの風量が所定の風量になることでサージング音が大きくなるおそれがある。このため、ファンが所定の風量となるようにファンの回転を制御した後に、風向が第２風向となるように風向調整部が切り換えられることで、サージング音を軽減することができる。
【００２４】
第１３発明に係る空気調和機は、ケーシングと、風向調整部と、制御部とを備えている。ケーシングには、吹き出し開口が形成されている。風向調整部は、第１風向状態と、第２風向状態とを切り換え可能である。第１風向状態では、吹き出し開口から第１風向範囲内に空気が吹き出される。第２風向状態では、吹き出し開口から第２風向範囲内に空気が吹き出される。制御部は、部屋内の温度が安定しているか否かを判定する。また、制御部は、温度が安定していない状態である第１状態の場合には、第１風向状態となるように、風向調整部の切り換え動作を制御する。さらに、制御部は、第１状態とは別の状態である所定の第２状態の場合には、第２風向状態となるように、風向調整部の切り換え動作を制御する。また、第２最壁面側風向は、第１最壁面側風向よりも、壁面側に向かう風向である。第２最壁面側風向とは、第２風向範囲内に吹き出す空気の吹き出し方向である第２風向のうち、最も部屋の壁面側に吹き出される風向のことである。第１最壁面側風向とは、第１風向範囲内に吹き出す空気の吹き出し方向である第１風向のうち、最も壁面側に吹き出される風向のことである。さらに、第２部屋側風向は、第１部屋側風向よりも、壁面側に向かう風向である。第２部屋側風向とは、第２風向のうち、最も壁面側から遠くに吹き出される風向のことである。第１部屋側風向とは、第１風向のうち、最も壁面側から遠くに吹き出される風向のことである。
【００２５】
第１３発明の係る空気調和機では、制御部は、所定の第２状態である場合、風向調整部の状態が第２風向状態となるように、風向調整部の切り換え動作を制御する。また、第２最壁面側風向が第１最壁面側風向よりも壁面側に向かう風向であり、第２部屋側風向が第１部屋側風向よりも壁面側に向かう風向である。このため、風向調整部の状態が、第２風向状態である場合には、第１風向状態である場合よりも、部屋の壁面側に空気が吹き出される。したがって、吹き出し開口から吹き出される空気の吹き出し方向を変更することによって、第１風向範囲よりも部屋の壁面側に空気を吹き出し、ペリメータゾーンにエアバリアを形成することができる。このため、壁面近傍の空気がインテリアゾーンへ進出するおそれを減らすことができる。また、制御部は、部屋内の温度が安定していない状態である第１状態の場合、風向調整部が第１風向状態となるように、風向調整部の切り換え動作を制御する。したがって、部屋内の温度が安定していない状態の場合には、風向調整部の状態が第１風向状態から第２風向状態に切り換えられないため、ペリメータゾーンよりもインテリアゾーンに多くの空気が吹き出されることになる。
【００２６】
これによって、専用の吹き出し開口を設けなくても、部屋内の快適性を維持することができる。
【発明の効果】
【００２７】
第１発明に係る空気調和機では、専用の吹き出し開口を設けなくても、部屋内の快適性を維持することができる。
【００２８】
第２発明に係る空気調和機では、部屋内の快適性を向上することができる。
【００２９】
第３発明に係る空気調和機では、部屋内の壁面近傍からインテリアゾーンに調和空気を吹き出すことができる。
【００３０】
第４発明に係る空気調和機では、不正確な温度情報の取得を抑制することができる。
【００３１】
第５発明に係る空気調和機では、不正確な温度情報の取得を抑制することができる。
【００３２】
第６発明に係る空気調和機では、部屋内の温度が安定しているか否かを判定することができる。
【００３３】
第７発明に係る空気調和機では、風向調整部を第２風向から第１風向に切り換えることができる。
【００３４】
第８発明に係る空気調和機では、部屋内の温度が安定しているか否かを判定することができる。
【００３５】
第９発明に係る空気調和機では、風向調整部を第２風向から第１風向に切り換えることができる。
【００３６】
第１０発明に係る空気調和機では、省エネルギー効果を高めることができる。
【００３７】
第１１発明に係る空気調和機では、ユーザの不快感を抑えることができる。
【００３８】
第１２発明に係る空気調和機では、サージング音を軽減することができる。
【００３９】
第１３発明に係る空気調和機では、専用の吹き出し開口を設けなくても、部屋内の快適性を維持することができる。
【図面の簡単な説明】
【００４０】
【図１】本発明の実施形態に係る空気調和機の概略冷媒回路図。
【図２】室内機の外観斜視図（天井は省略）。
【図３】室内機の縦断面図であって、空気調和機の運転停止状態を示す図（図２のIII−III断面に相当）。
【図４】室内機を化粧パネル側から見た概略平面図。
【図５】室内機の縦断面図であって、空気調和機の運転状態を示す図（図２のV−V断面に相当）。
【図６】フラップの（ａ）閉状態、（ｂ）スイング状態、および、（ｃ）ペリメータ角度状態を示す図。
【図７】化粧パネルの第２開口の拡大図。
【図８】本発明の実施形態に係る空気調和機の制御ブロック図。
【図９】判定部の判定条件であって、暖房運転時の所定範囲を示す図。
【図１０】判定部の判定条件であって、冷房運転時の所定範囲を示す図。
【図１１】本発明の実施形態に係る空気調和機の運転開始後からのフラップの状態を示すフローチャート。
【図１２】インテリアゾーンの温度安定条件における判定部による判定の流れを示すフローチャート。
【図１３】切り換え条件における制御部による判断の流れを示すフローチャート。
【図１４】変形例（Ｂ）において、フラップの状態が閉状態であるときの室内機の概略斜視図。
【図１５】変形例（Ｂ）において、フラップの状態がスイング状態であるときの一例を示す室内機の側面図。
【図１６】変形例（Ｂ）において、フラップの状態がスイング状態であるときの一例を示す室内機の縦断面図。
【図１７】変形例（Ｂ）において、フラップの状態がペリメータ角度状態である場合を示す室内機の側面図。
【図１８】変形例（Ｂ）において、フラップの状態がペリメータ角度状態である場合を示す室内機の縦断面図。
【図１９】変形例（Ｅ）において、フラップの状態がスイング状態である場合の風向範囲とフラップの状態がペリメータ角度状態である場合の風向範囲とを示す概略図。
【発明を実施するための形態】
【００４１】
＜空気調和機の構成概略＞
本発明の一実施形態に係る空気調和機１００は、天井に埋め込まれた状態で設置される天井埋込型の室内機１と、室外に設置される室外機３とを備えており、冷房運転、暖房運転、および除霜運転等を行うことができる。室内機１には、図１に示すように、室内熱交換器４が収容され、室外機３内には室外熱交換器６が収容されており、各熱交換器４，６が冷媒配管によって接続されることにより冷媒回路を構成している。この冷媒回路は、主として、室内熱交換器４、アキュムレータ１４、圧縮機９、四路切換弁８、室外熱交換器６および電動膨張弁１２で構成されている。
【００４２】
室内機１内には、室内熱交換器４の他に室内ファン５等が収容されている。なお、室内機１の詳細な構成については後に説明する。
【００４３】
室外機３には、圧縮機９の吐出側に接続される四路切換弁８と、圧縮機９の吸入側に接続されるアキュムレータ１４と、四路切換弁８に接続される室外熱交換器６と、室外熱交換器６に接続される電動膨張弁１２とが収容されている。電動膨張弁１２は、液閉鎖弁１０を介して液連絡配管に接続されており、この液連絡配管を介して室内熱交換器４の一端と接続されている。また、四路切換弁８は、ガス閉鎖弁１１を介してガス連絡配管に接続されており、このガス連絡配管を介して室内熱交換器４の他端と接続されている。さらに、室外機３には、室外熱交換器６での熱交換後の空気を外部に排出するためのプロペラファン７が収容されている。このプロペラファン７は、室外ファンモータによって回転駆動される。
【００４４】
＜室内機の構成＞
室内機１は、図２および図３に示すように、室内機本体２と、化粧パネル２０とを備えている。室内機本体２は、天井Uの開口Ｏを臨むように天井裏空間に配置される。また、化粧パネル２０は、開口Oを挟んで後述する室内機本体２の吸い込み側流路１９ａおよび吹き出し側流路１９ｂに対向するように室内機本体２に装着される。以下、室内機本体２および化粧パネル２０について説明する。
【００４５】
（１）室内機本体
室内機本体２は、図２および図３に示すように、室内機ケーシング１３、室内ファン５および室内熱交換器４等を有している。室内機ケーシング１３は、略直方体形状であり、下面が開口した箱状の形態を有している。また、室内機ケーシング１３には、室内ファン５および室内熱交換器４等が収容される。
【００４６】
室内ファン５は、長細い円筒形状に構成されるクロスフローファンであり、回転軸が室内機ケーシング１３の長手方向にそって延びるように、室内機ケーシング１３内部に収容されている。また、室内ファン５は、室内ファンモータ５ａ（図８参照）によって回転駆動されることで、回転軸と交わる方向に空気流を生成する。さらに、室内ファン５は、部屋内の空気を室内機本体２内に吸い込ませるとともに、室内熱交換器４との間で熱交換を行った後の空気を部屋内に吹き出させる。
【００４７】
室内熱交換器４は、長手方向両端で複数回折り返されてなる伝熱管と、伝熱管から挿通される複数のフィンとからなり、接触する空気との間で熱交換を行う。また、室内熱交換器４は、室内ファン５の下側の位置から室内ファン５から遠ざかるにつれて斜め上方に延びるように室内機ケーシング１３内に配置されている。
【００４８】
このように、室内機ケーシング１３内には、吸い込まれた部屋内の空気が、室内熱交換器４との間で熱交換を行い、再び部屋内に吹き出されるまでの空気流路が形成されている。また、この空気流路は、部屋内から吸い込まれた空気が室内熱交換器４に至るまでの流路部分である吸い込み側流路１９ａと、室内熱交換器４から室内ファン５を介して再び部屋内に吹き出されるまでの流路部分である吹き出し側流路１９ｂとから構成されている。
【００４９】
（２）化粧パネル
化粧パネル２０は、図２、図３および図４に示すように、平面視において、室内機ケーシング１３の天面よりも大きな略長方形状の部材である。また、化粧パネル２０には、第１開口２３（吸い込み開口に相当）および第２開口３０が設けられている。なお、本実施形態では、第１開口２３が第２開口３０よりも部屋内の壁面Ｗ側に設けられている。第１開口２３は、室内機本体２の吸い込み側流路１９ａに一致する位置に配置される略長方形状の開口である。また、第１開口２３は、吸い込み側流路１９ａを介して室内機ケーシング１３内部に連通するように設けられている。第２開口３０は、室内機本体２の吹き出し側流路１９ｂに一致する位置に配置される略長方形状の開口である。また、第２開口３０は、吹き出し側流路１９ｂを介して室内機ケーシング１３内部に連通するように設けられている。
【００５０】
さらに、第１開口２３には、第１開口２３の９０％を覆うことが可能なパネル２１が設けられている。パネル２１は、室内機本体２の長手方向に長い形状を有する板状の部材であり、室内機本体２の長手方向に平行な回転軸と、パネル駆動モータ２１ａ（図８参照）とを有している。また、パネル２１は、図３および図５に示すように、パネル駆動モータ２１ａによって回転軸を中心に回転されることで、第１開口２３を遮蔽または開放することができる。なお、回転軸は、化粧パネル２０において、化粧パネル２０の中央側に位置する第１開口２３の縁近傍に設けられている。また、本実施形態では、パネル２１は、後述するフラップ２２ａ，２２ｂの状態がスイング状態またはペリメータ角度状態であるときは、第１開口２３を開放している状態となっている。また、パネル２１は、フラップ２２ａ，２２ｂの状態が後述する閉状態であるときは、第１開口２３を遮蔽している状態となっている。なお、以下、パネル２１が、第１開口２３を開放している状態を開状態といい、第１開口２３を遮蔽している状態を閉状態という。
【００５１】
第２開口３０は、吹き出し開口２４ａ，２４ｂと隙間開口２５とから構成されている。吹き出し開口２４ａ，２４ｂおよび隙間開口２５は、連続して設けられている略長方形状の開口であり、吹き出し開口２４ａ，２４ｂと隙間開口２５との長辺の長さは同一である。また、隙間開口２５の短辺の長さは、後述するフラップ２２ａ，２２ｂが吹き出し開口２４ａ，２４ｂを閉じている状態で、１０ｍｍである。なお、本実施形態では、吹き出し開口２４ａ，２４ｂと隙間開口２５とが連続して設けられているが、吹き出し開口２４ａ，２４ｂと隙間開口２５とが独立して設けられていてもよい。
【００５２】
また、吹き出し開口２４ａ，２４ｂ近傍には、吹き出し開口２４ａ，２４ｂの９０％を覆うことが可能なフラップ２２ａ，２２ｂが設けられている。フラップ２２ａ，２２ｂは、室内機本体２の長手方向に長い形状を有する板状の部材であり、室内機本体２の長手方向に平行な回転軸２８ａ，２８ｂとフラップ駆動モータ２２ｃとを有している（図７および図８参照）。また、フラップ２２ａ，２２ｂは、図３、図５および図７に示すように、フラップ駆動モータ２２ｃによって回転軸２８ａ，２８ｂを中心に回転されることで、吹き出し開口２４ａ，２４ｂを遮蔽または開放する。また、フラップ２２ａ，２２ｂの水平面に対する傾斜角度を調整することで、フラップ２２ａ，２２ｂは、吹き出し開口２４ａ，２４ｂから部屋内に吹き出される空気の風向を変更することができる。なお、空気調和機１００から空気が吹き出される部屋内とは、空調対象者の居住空間であるインテリアゾーンＩＺと、インテリアゾーンＩＺよりも窓や壁面Ｗ近傍の空間であるペリメータゾーンＰＺとを有する室内空間である。また、本実施形態では、フラップ２２ａ，２２ｂは、空気調和機１００の運転動作等に応じて、３つの状態（閉状態、スイング状態およびペリメータ角度状態）になることが可能である。次に、図６を用いて、フラップ２２ａ，２２ｂの各状態について説明する。なお、本実施形態では、フラップ２２ａ，２２ｂの各状態におけるフラップ２２ａの水平面に対する傾斜角度とフラップ２２ｂの水平面に対する傾斜角度とは等しいため、ここでは、フラップ２２ｂを例にして説明し、フラップ２２ａの説明は省略する。
【００５３】
まず、閉状態においては、図６（ａ）に示すように、フラップ２２ｂは、吹き出し開口２４ｂを概ね閉じた状態、すなわち、吹き出し開口２４ｂとフラップ２２ｂとの隙間が最も小さくなった状態になっており、本実施形態において、フラップ２２ｂの水平面に対する傾斜角度α（図６（ａ）では省略）は、０度となる。
【００５４】
スイング状態においては、図６（ｂ）に示すように、フラップ２２ｂは、吹き出し開口２４ｂから吹き出される空気の吹き出し方向がインテリアゾーンＩＺを向く角度範囲内（例えば、フラップ２２ｂの水平面に対する傾斜角度αが、冷房運転時および暖房運転時ともに３８度から７０度の範囲内）を回転軸２８ａ，２８ｂを中心に可変する。このため、スイング状態では、吹き出し開口２４ａ，２４ｂからインテリアゾーンＩＺに対して所定の風向範囲内で空気が吹き出される。なお、図６（ｂ）には、スイング状態において、吹き出し開口２４ａ，２４ｂから吹き出される空気の風向（第１風向に相当）の一例を矢印Ａ１で示している。
【００５５】
ペリメータ角度状態では、図６（ｃ）に示すように、フラップ２２ｂは、吹き出し開口２４ｂから吹き出される空気の吹き出し方向がペリメータゾーンＰＺを向く角度（例えば、フラップ２２ｂの水平面に対する傾斜角度αが１００度）となる。このため、ペリメータ角度状態では、吹き出し開口２４ａ，２４ｂからインテリアゾーンＩＺよりもペリメータゾーンＰＺにより多くの空気が吹き出される。なお、図６（ｃ）には、ペリメータ角度状態において、吹き出し開口２４ａ，２４ｂから吹き出される空気の風向（第２風向に相当）を矢印Ａ２で示している。
【００５６】
また、本実施形態では、図７に示すように、フラップ２２ａ，２２ｂが回動することによって、隙間開口２５の短辺の長さが変化する。例えば、吹き出し開口２４ａ，２４ｂがフラップ２２ａ，２２ｂによって開放されている場合の隙間開口２５の短辺の長さＬ２は、吹き出し開口２４ａ，２４ｂがフラップ２２ａ，２２ｂによって遮蔽されている状態の場合の隙間開口２５の短辺の長さＬ１と比較して、短くなる。なお、回転軸２８ａ，２８ｂは、化粧パネル２０において、化粧パネル２０の中央側に位置する吹き出し開口２４ａ，２４ｂの縁近傍に設けられている。
【００５７】
以上のような構成を有する室内機１において、例えば、フラップ２２ａ，２２ｂの状態がスイング状態である場合に、室内ファン５を回転させると、図５に示すように、部屋内の空気が第１開口２３から吸い込まれフィルタ４０および吸い込み側流路１９ａを介して室内熱交換器４へと送られる。室内熱交換器４に送られた空気は、室内熱交換器４を通過する際に温度調節され調和空気となる。そして、室内熱交換器４を通過した調和空気は、吹き出し側流路１９ｂを介して化粧パネル２０の第２開口３０の主に吹き出し開口２４ａ，２４ｂから部屋内のインテリアゾーンＩＺへ供給される。
【００５８】
＜制御部＞
制御部６０は、図８に示すように、室内機１に収容される室内ファンモータ５ａ、室内熱交換器４および室内熱交換器サーミスタ等の各種機器や、室外機３に収容される圧縮機９、四路切換弁８、電動膨張弁１２、室外熱交換器６および室外熱交換器サーミスタ等の各種機器と接続されており、リモートコントローラ５０等を介した空調対象者からの運転指令に基づいて、冷房運転および暖房運転等の各運転に応じて各種機器の運転制御を行う。また、リモートコントローラ５０には「パワフル運転設定」ボタンが設けられており、この「パワフル運転設定」ボタンが空調対象者によって押されると、制御部６０は、冷房運転または暖房運転をパワフル運転モードに切り換える。なお、ここでいうパワフル運転モードとは、一時的に室内ファン５の回転数や圧縮機９の運転周波数等を上げることで、一時的に空気調和機１００の空気調和処理能力を向上させることができるモードのことである。
【００５９】
また、制御部６０は、パネル駆動モータ２１ａおよびフラップ駆動モータ２２ｃと接続されており、パネル２１およびフラップ２２ａ，２２ｂの回動を制御することで、パネル２１およびフラップ２２ａ，２２ｂの状態を切り換えることができる。また、制御部６０は、空気調和機１００の運転停止時には、パネル２１およびフラップ２２ａ，２２ｂをともに閉状態に切り換える。また、空気調和機１００の運転時には、パネル２１を開状態にし、フラップ２２ａ，２２ｂの状態をスイング状態またはペリメータ角度状態に切り換える。さらに、空気調和機１００の運転時に、リモートコントローラ５０等を介した空調対象者からの角度設定指令があった場合には、制御部６０は、この角度設定指令に基づいて、パネル２１およびフラップ２２ａ，２２ｂの回動を制御することで、パネル２１およびフラップ２２ａ，２２ｂの水平面に対する傾斜角度を調整することができる。
【００６０】
また、制御部６０には、室温サーミスタ３３によって検知される部屋内のインテリアゾーンＩＺの温度情報を取得する機能を有する取得部６１が含まれる。制御部６０は、暖房運転時であり、かつ、フラップ２２ａ，２２ｂの状態がペリメータ角度状態である場合には、取得部６１の機能を停止させる。また、制御部６０は、フラップ２２ａ，２２ｂの状態がペリメータ角度状態からスイング状態に切り換わった時から所定時間（第１所定時間に相当、例えば、１５０秒）が経過するまで、取得部６１の機能を停止させる。なお、本実施形態では、室温サーミスタ３３は、室内機１内部の第１開口２３近傍に配置されている。
【００６１】
さらに、制御部６０は、判定部６２として機能する。判定部６２では、以下の条件が満たされているか否かが判定される。
【００６２】
（１）部屋内のインテリアゾーンＩＺの温度と設定温度との差が所定範囲内である
（２）運転開始から所定時間（第２所定時間および第６所定時間に相当）以上経過している
（３）サーモオン開始後から所定時間以上経過している
（４）除霜運転中ではない
（５）パワフル運転中ではない
（６）取得部６１が、機能を停止された状態から機能している状態になってから所定時間以上経過している
（７）除霜運転から暖房運転に運転内容が変更されてから所定時間以上経過している
また、上記の条件を満たしているか否かの判定とは、（１）については、判定部６２は、まず、取得部６１によって取得された温度情報を利用して算出される部屋内のインテリアゾーンＩＺの温度と、予め空調対象者等によって設定されている設定温度との差の値を算出する。具体的には、判定部６２は、暖房運転時には設定温度からインテリアゾーンＩＺの温度を引いた値を算出し、冷房運転時にはインテリアゾーンＩＺの温度から設定温度を引いた値を算出する。そして、判定部６２は、その値が、暖房運転時には図９に示すＡからＥの範囲内であるか否かを判定し、冷房運転時には図１０に示すAからＥの範囲内であるか否かを判定する。なお、図９および図１０中の「上昇時」とはインテリアゾーンＩＺの温度上昇時を意味し、「下降時」とはインテリアゾーンＩＺの温度下降時を意味する。このため、暖房運転の運転開始時は「上昇時」から開始され、冷房運転の運転開始時は「下降時」から開始されることになる。そして、その差が上記範囲内である場合、判定部６２は、（１）の条件を満たしていると判定する。例えば、暖房運転開始時では、設定温度からインテリアゾーンＩＺの温度を引いた値が図９に示すＡからＥの範囲内である場合、判定部６２は、（１）の条件を満たしていると判定する。
【００６３】
（２）については、空気調和機１００において、冷房運転および暖房運転等の各運転が開始されてから所定時間（例えば、５分）以上経過している場合には、判定部６２は、（２）の条件を満たしていると判定する。
【００６４】
（３）については、空気調和機１００においてサーモオンが開始されてから所定時間（例えば、５分）以上経過している場合には、判定部６２は、（３）の条件を満たしていると判定する。
【００６５】
（４）については、空気調和機１００の各運転において、除霜運転以外の運転が行われている場合には、判定部６２は、（４）の条件を満たしていると判定する。なお、除霜運転とは、暖房運転中に行われる運転であって、室外熱交換器についた霜を溶かすために自動的に行われる運転である。
【００６６】
（５）については、空調対象者等の運転指示によってパワフル運転モードに設定されていない場合には、判定部６２は、（５）の条件を満たしていると判定する。
【００６７】
（６）については、取得部６１が機能停止状態から機能状態になってから所定時間（例えば、１５０秒）以上経過している場合には、判定部６２は、（６）の条件を満たしていると判定する。すなわち、取得部６１が機能停止状態となってから所定時間（第３所定時間および第７所定時間に相当）が経過している場合に、判定部は、（６）の条件を満たしていると判定する。
【００６８】
（７）については、除霜運転から暖房運転に運転内容が変更された時から所定時間（例えば、５分）以上経過している場合には、判定部６２は、（７）の条件を満たしていると判定する。
【００６９】
判定部６２による上記判定に基づいて、制御部６０は、部屋内のインテリアゾーンＩＺの温度が安定しているか否かを判断する。なお、空気調和機１００の運転開始から制御部６０によって最初に行われる判断では、制御部６０は、判定部６２によって（１）から（５）の条件が満たされていると判定された場合に、部屋内のインテリアゾーンＩＺの温度が安定していると判断する。また、空気調和機１００の運転開始から制御部６０によって部屋内のインテリアゾーンＩＺの温度が安定していると１回以上判断されている場合では、制御部６０は、判定部６２によって上記条件のうちの（１）から（６）までの条件が満たされていると判定された場合に、部屋内のインテリアゾーンＩＺの温度が安定していると判断する。なお、（７）の条件については、除霜運転が行われた場合にのみ含まれる条件である。例えば、暖房運転中に除霜運転が行われた場合、制御部６０は、判定部６２によって上記条件のうちの全ての条件が満たされていると判定された場合に、部屋内のインテリアゾーンＩＺの温度が安定していると判断する。
【００７０】
なお、本実施形態では、判定部６２によって上記条件のうちの（１）から（５）まで、（１）から（６）まで、あるいは、（１）から（７）までの条件が満たされていると判定された場合に、制御部６０によって、部屋内のインテリアゾーンＩＺの温度が安定していると判断されている。しかし、これに限定されず、例えば、（１）から（７）までの条件のうち少なくともいずれか１つの条件が満たされた場合に、制御部によって部屋内のインテリアゾーンＩＺの温度が安定していると判断されてもよい。
【００７１】
また、本実施形態では、制御部６０は、フラップ２２ａ，２２ｂの状態がペリメータ角度状態からスイング状態に切り換わった時から所定時間が経過するまで、取得部６１の機能を停止させている。しかし、これに代えて、制御部は、暖房運転時であってフラップの状態がペリメータ角度状態からスイング状態に切り換わった場合に、フラップの状態が切り換わった時から所定時間が経過するまで取得部の機能を停止させてもよい。すなわち、制御部が、ショートサーキット現象の起こりやすい暖房運転時にのみ取得部の機能を停止させ、冷房運転時には取得部の機能を停止させないようにしてもよい。なお、この場合には、判定部によって判定される上記条件のうち（６）の条件は、暖房運転時にのみ判定される条件となる。
【００７２】
さらに、制御部６０は、部屋内のインテリアゾーンＩＺの温度が安定していると判断した場合、フラップ２２ａ，２２ｂの状態をスイング状態からペリメータ角度状態に切り換える。なお、制御部６０は、部屋内のインテリアゾーンＩＺの温度が安定していないと判断した場合、フラップ２２ａ，２２ｂの状態をスイング状態で維持する。
【００７３】
また、制御部６０は、以下の切り換え条件のうちの少なくとも１つの条件が満たされていると判断した場合に、フラップ２２ａ，２２ｂの状態をペリメータ角度状態からスイング状態に切り換える。
【００７４】
（１）フラップ２２ａ，２２ｂの状態がペリメータ角度状態になってから所定時間（第４所定時間および第９所定時間に相当）以上経過している
（２）暖房運転時において室内熱交換器４の温度が所定温度以上である
（３）除霜運転が行われている
（４）部屋内のインテリアゾーンＩＺの温度と設定温度との差が所定範囲外である
（５）パワフル運転が行われている
例えば、（１）の切り換え条件では、フラップ２２ａ，２２ｂの状態がペリメータ角度状態になってから所定時間（例えば、２分）以上経過している場合には、制御部６０は、（１）の切り換え条件が満たされていると判断する。
【００７５】
（２）の切り換え条件では、室内熱交換器４内を流れる冷媒の温度を検知する熱交換器サーミスタから取得される温度情報を利用して、室内熱交換器４の温度が所定温度以上（例えば、５４度）である場合には、制御部６０は、（２）の切り換え条件が満たされていると判断する。なお、（２）の切り換え条件は、暖房運転時のみの切り換え条件である。
【００７６】
（３）の切り換え条件では、除霜運転が行われている場合には、制御部６０は、（３）の切り換え条件を満たしていると判断する。
【００７７】
（４）の切り換え条件では、暖房運転時には、判定部６２によって算出された設定温度からインテリアゾーンＩＺの温度を引いた値が図９に示すＦ〜Ｌの範囲内であると判定された場合、制御部６０は、（４）の条件を満たしていると判断する。また、冷房運転時には、判定部６２によって算出されたインテリアゾーンＩＺの温度から設定温度を引いた値が図１０に示すＦ〜Ｌの範囲内であると判定された場合、制御部６０は、（４）の条件を満たしていると判断する。
【００７８】
（５）の切り換え条件では、空調対象者等の運転指示によって、パワフル運転モードに設定されている場合、制御部は、（５）の切り換え条件を満たしていると判断する。
【００７９】
＜フラップの状態の切り換え動作＞
次に、図１１、図１２および図１３を用いて、冷房運転または暖房運転の運転時における制御部６０によるフラップの状態の切り換え動作について説明する。なお、ここでは、冷房運転または暖房運転が開始されており、制御部６０によって、パネル２１の状態が閉状態から開状態に、フラップ２２ａ，２２ｂの状態が閉状態からスイング状態に切り換えられている。
【００８０】
判定部６２は、インテリアゾーンＩＺの温度の安定条件を判定する（ステップＳ１）。このとき、制御部６０は、まず、空気調和機１００の運転開始から現時点までにフラップ２２ａ，２２ｂの状態をペリメータ角度状態に切り換えているか否かを判断する（ステップＳ２）。そして、制御部６０は、空気調和機１００の運転開始から現時点までにフラップ２２ａ，２２ｂの状態をペリメータ角度状態に切り換えていないと判断した場合、次に、空気調和機１００の運転開始から除霜運転が行われたか否かについて判断する（ステップＳ３）。そして、制御部６０が、空気調和機１００の運転開始から現時点までにフラップ２２ａ，２２ｂの状態をペリメータ角度状態に切り換えていないと判断し、かつ、空気調和機１００の運転開始から除霜運転が行われていないと判断した場合、判定部６２によって（１）から（５）の条件が満たされているか否かが判定される（ステップＳ４〜ステップＳ８）。そして、判定部６２によって（１）から（５）のうちのすべての条件が満たされていると判定された場合、制御部６０は、部屋内のインテリアゾーンＩＺの温度が安定していると判断し、フラップ２２ａ，２２ｂの状態をスイング状態からペリメータ角度状態に切り換える（ステップＳ１１、ステップＳ１２）。また、判定部６２によって（１）から（５）の条件のうちの少なくとも１つの条件が満たされていないと判定された場合、制御部６０は、部屋内のインテリアゾーンＩＺの温度が安定していないと判断し、フラップ２２ａ，２２ｂの状態をスイング状態で維持する。そして、所定時間経過後、再び、判定部６２によって（１）から（５）の条件が満たされているか否かが判定される。なお、（１）から（５）の条件が満たされているか否かの判定は、（１）から（５）のうちのすべての条件が満たされるまで繰り返される。
【００８１】
さらに、ステップＳ２において、制御部６０が空気調和機１００の運転開始から１回以上フラップ２２ａ，２２ｂの状態をペリメータ角度状態に切り換えていると判断した場合、判定部６２によって（６）の条件が満たされているか否かが判定される（ステップＳ９）。そして、判定部６２によって（６）の条件が満たされていると判定された場合、制御部６０は、空気調和機１００の運転開始から除霜運転が行われたか否かについて判断する（ステップＳ３）。このとき、制御部６０が、空気調和機１００の運転開始から除霜運転が行われていないと判断した場合、判定部６２によって（１）から（５）の条件が満たされているか否かが判定される（ステップＳ４〜ステップＳ８）。そして、判定部６２によって（１）から（５）のうちのすべての条件が満たされていると判定された場合、制御部６０は、部屋内のインテリアゾーンＩＺの温度が安定していると判断し、フラップ２２ａ，２２ｂの状態をスイング状態からペリメータ角度状態に切り換える（ステップＳ１１、ステップＳ１２）。また、判定部６２によって（１）から（５）の条件のうちの少なくとも１つの条件が満たされていないと判定された場合、制御部６０は、部屋内のインテリアゾーンＩＺの温度が安定していないと判断し、フラップ２２ａ，２２ｂの状態をスイング状態で維持する。さらに、ステップＳ９において、判定部６２によって（６）の条件が満たされていないと判定された場合、制御部６０は、部屋内のインテリアゾーンＩＺの温度が安定していないと判断し、フラップ２２ａ，２２ｂの状態をスイング状態で維持する。そして、所定時間経過後、再び、判定部６２によって（６）の条件が満たされているか否かが判定される。なお、（６）の条件が満たされているか否かの判定は、（６）の条件が満たされるまで繰り返される。
【００８２】
また、ステップＳ３において、制御部６０が、空気調和機１００の運転開始から除霜運転が行われたと判断した場合、判定部６２によって（７）の条件が満たされているか否かが判定される（ステップＳ１０）。そして、判定部６２によって（７）の条件が満たされていると判定された場合、判定部６２は、（１）から（５）の条件が満たされているか否かを更に判定する（ステップＳ４〜ステップＳ８）。このとき、判定部６２によって（１）から（５）のうちのすべての条件が満たされていると判定された場合、制御部６０は、部屋内のインテリアゾーンＩＺの温度が安定していると判断し、フラップ２２ａ，２２ｂの状態をスイング状態からペリメータ角度状態に切り換える（ステップＳ１１、ステップＳ１２）。また、判定部６２によって（１）から（５）の条件のうちの少なくとも１つの条件が満たされていないと判定された場合、制御部６０は、部屋内のインテリアゾーンＩＺの温度が安定していないと判断し、フラップ２２ａ，２２ｂの状態をスイング状態で維持する。さらに、ステップ１０において、判定部６２によって（７）の条件が満たされていないと判定された場合、制御部６０は、部屋内のインテリアゾーンＩＺの温度が安定していないと判断し、フラップ２２ａ，２２ｂの状態をスイング状態で維持する。そして、所定時間経過後、再び、判定部６２によって（７）の条件が満たされているか否かが判定される。なお、（７）の条件が満たされているか否かの判定は、（７）の条件が満たされるまで繰り返される。
【００８３】
フラップ２２ａ，２２ｂの状態がペリメータ角度状態に切り換えられると、次に、制御部６０は、フラップ２２ａ，２２ｂの状態をペリメータ角度状態からスイング状態に切り換える条件である切り換え条件が満たされているか否かを判断する（ステップＳ１３）。制御部６０は、（１）から（５）の切り換え条件のうちの少なくとも１つの切り換え条件が満たされていると判断した場合、フラップ２２ａ，２２ｂの状態をペリメータ角度状態からスイング状態に切り換える（ステップＳ１４〜ステップＳ１９）。また、ステップＳ１３において、（１）から（５）の切り換え条件のうちの少なくとも１つの切り換え条件が満たされていると判断されるまで、制御部６０は、フラップ２２ａ，２２ｂの状態をペリメータ角度状態で維持する。
【００８４】
また、フラップ２２ａ，２２ｂの状態がペリメータ角度状態からスイング状態に切り換えられると、制御部６０は、上記ステップＳ１〜ステップＳ１９を繰り返す。
【００８５】
このようにして、この空気調和機１００では、冷房運転または暖房運転時においてフラップ２２ａ，２２ｂの状態がスイング状態からペリメータ角度状態に、また、ペリメータ角度状態からスイング状態に切り換わることによって、インテリアゾーンＩＺおよびペリメータゾーンＰＺに調和空気を供給することができる。
【００８６】
なお、空調対象者から、空気調和機１００の運転停止の指示があった場合、制御部６０は、室内機１内および室外機３内の各種機器を制御することによって空気調和機１００の運転を停止させ、パネル２１およびフラップ２２ａ，２２ｂをともに閉状態に切り換える。
【００８７】
＜特徴＞
（１）
近年の空気調和機には、屋外の温度の影響を受けた空気がインテリアゾーンに進出することを防ぐために、窓や壁面近傍にエアバリアを形成する機能を有するものがある。例えば、特開２０００−３３７６５１号公報に開示されている空気調和機では、エアバリアを形成するための専用の吹き出し口から窓や壁面近傍に向けて調和空気を吹き出すことで、ペリメータゾーンにエアバリアを形成している。この空気調和機では、窓や壁面近傍の空気がインテリアゾーンへ進出するおそれを減らしている。これによって、部屋内の快適性を維持している。ところで、この空気調和機では、ペリメータゾーンにエアバリアを形成するために、エアバリアを形成するための専用の吹き出し口が設けられている。
【００８８】
そこで、上記実施形態では、制御部６０は、判定部６２の判定に基づいて、部屋内のインテリアゾーンＩＺの温度が安定していると判断した場合、フラップ２２ａ，２２ｂの状態をスイング状態からペリメータ角度状態に切り換える。また、制御部６０は、切り換え条件のうちの少なくとも１つの条件が満たされていると判断した場合に、フラップ２２ａ，２２ｂの状態をペリメータ角度状態からスイング状態に切り換える。このため、吹き出し開口２４ａ，２４ｂから吹き出される空気の吹き出し方向を変更することによって、スイング状態における風向範囲内よりもペリメータゾーンＰＺを向く角度に空気を吹き出し、壁際、すなわち、ペリメータゾーンＰＺで空気の循環サイクルを形成し、ペリメータゾーンＰＺにエアバリアを形成することができる。したがって、壁面Ｗ近傍の空気がインテリアゾーンへ進出するおそれを減らすことができる。
【００８９】
これによって、冬季において暖房運転が行われている場合には窓や壁面からの冷輻射および冷気侵入を抑えることができ、夏季において冷房運転が行われている場合には窓や壁面からの日射による影響を抑えることができている。
【００９０】
また、制御部６０は、判定部６２の判定に基づいて、部屋内のインテリアゾーンＩＺの温度が安定していないと判断した場合、フラップ２２ａ，２２ｂの状態をスイング状態で維持している。このため、部屋内のインテリアゾーンＩＺの温度が安定していない場合には、ペリメータゾーンＰＺよりもインテリアゾーンＩＺに調和空気が吹き出されることになる。
【００９１】
これによって、専用の吹き出し開口を設けなくても、部屋内の快適性を維持することができている。
【００９２】
（２）
上記実施形態では、制御部６０は、室温サーミスタ３３によって検知される部屋内のインテリアゾーンＩＺの温度情報を取得する機能を有する取得部６１を含む。制御部６０は、暖房運転時であり、かつ、フラップ２２ａ，２２ｂの状態がペリメータ角度状態である場合には、取得部６１の機能を停止させる。また、制御部６０は、フラップ２２ａ，２２ｂの状態がペリメータ角度状態からスイング状態に切り換わった時から所定時間（例えば、１５０秒）が経過するまで、取得部６１の機能を停止させる。さらに、室温サーミスタ３３は、室内機１内部の第１開口２３近傍に配置されている。このため、フラップ２２ａ，２２ｂの状態が、ペリメータ角度状態時、または、ペリメータ角度状態からスイング状態に切り換わった直後に、ショートサーキット現象が発生した場合でも、不正確な温度情報を取得するおそれを減らすことができている。
【００９３】
また、暖房運転時であって、フラップ２２ａ，２２ｂの状態がペリメータ角度状態である場合、調和空気として、主に、暖かい空気が室内機本体２の下側に吹き出される。このように、暖かい空気が室内機本体２の下側に吹き出されることで、または、吹き出し開口２４ａ，２４ｂから吹き出された暖かい空気が部屋内の上部に溜まることで、室内機１周辺が暖められる可能性がある。このとき、室温サーミスタが室内機近傍に配置されている場合には、不正確な温度情報を取得するおそれがある。
【００９４】
そこで、上記実施形態では、制御部６０は、暖房運転時であり、かつ、フラップ２２ａ，２２ｂの状態がペリメータ角度状態である場合には、取得部６１の機能を停止させる。このため、不正確な温度情報を取得するおそれを減らすことができている。
【００９５】
（３）
上記実施形態では、吸い込み側流路１９ａを介して室内機ケーシング１３内部に連通するように設けられている第１開口２３が、室内機本体２の吹き出し側流路１９ｂに一致する位置に配置される第２開口３０よりも部屋内の壁面Ｗ側に設けられている。このため、第２開口が第１開口よりも部屋内の壁面側に設けられている場合と比較して、ペリメータゾーンＰＺにエアバリアを形成しやすくすることができている。
【００９６】
＜変形例＞
（Ａ）
上記実施形態では、フラップ２２ａ，２２ｂの状態がペリメータ角度状態である場合の風量は、実施されている空気調和機１００の運転時の風量と等しい風量である。しかし、ペリメータゾーンＰＺにエアバリアを形成することができる最小限の風量（例えば、サーモオフ時の風量と等しい風量）をペリメータ角度状態の風量に設定することによって、室内ファンの回転数を減らすことができる。
【００９７】
これによって、省エネルギーを実現させることができる。
【００９８】
また、フラップの状態がペリメータ角度状態である場合の風量を所定の風量とした場合に、制御部が、複数回に分けて室内ファンの回転数を変化させることで室内ファンの風量が所定の風量となるように、室内ファンの回転を制御してもよい。具体的には、フラップの状態がスイング状態である時の室内ファンの風量から所定の風量に変更する場合に、制御部は、所定時間毎に所定回転数ずつ室内ファンの回転数を変化させることで所定の風量となるように、室内ファンの回転を制御する。このように、室内ファンの回転数を除々に変化させることで、室内ファンの回転音が急に変化するおそれを減らすことができる。
【００９９】
これによって、ユーザに不快感を与えるおそれを減らすことができる。
【０１００】
さらに、フラップの状態がスイング状態からペリメータ角度状態に切り換わっている途中、または、フラップの状態がペリメータ角度状態に切り換わったときの方が、フラップの状態がスイング状態である場合と比較して、吹き出し開口の面積が小さくなるように構成されている場合には、サージング音が発生するおそれがある。このため、制御部は、フラップの状態をペリメータ角度状態に切り換える前に、室内ファンが所定の風量となるように室内ファンの回転を制御してもよい。
【０１０１】
このように、室内ファンが所定の風量となった後に、フラップの状態がペリメータ角度状態に切り換えられることで、サージング音を軽減することができる。
【０１０２】
また、パネルが第１開口の１００％を覆い、フラップが吹き出し開口の１００％を覆うような空気調和機では、上記実施形態の空気調和機１００と比較して、サージングが起こりやすい構造となる。このようなサージングの起こりやすい構造の空気調和機の場合には、室内ファンによって吹き出される空気の風量に上限を設けることによって、振動音等の騒音を防止することができる。
【０１０３】
（Ｂ）
上記実施形態では、空気調和機１００は、天井に埋め込まれた状態で設置される天井埋込型の室内機１を備えている。
【０１０４】
これに代えて、空気調和機が、部屋内の壁面Ｗ１に設置される壁掛型の室内機１０１を備えていてもよい。以下に、部屋内の壁面Ｗ１に設置される壁掛型の室内機１０１について説明する。
【０１０５】
室内機１０１は、図１４、図１５、図１６図１７および図１８に示すように、室内機ケーシング１１３を有している。室内機ケーシング１１３は、略直方体形状であり、その背面が部屋の壁面Ｗ１に取り付けられている。また、室内機ケーシング１１３内には、室内熱交換器１０４および室内ファン１０５等が収容されている。
【０１０６】
室内熱交換器１０４は、接触する部屋内の空気との間で熱交換を行う。また、室内ファン１０５は、部屋内の空気を吸い込んで室内熱交換器１０４に通し、熱交換が行われた後の空気を部屋内に排出するためのクロスフローファンである。室内ファン１０５は、長細い円筒形状に構成されており、中心軸が水平方向に平行になるように配置されている。さらに、室内ファン１０５は、室内ファンモータ（図示せず）によって回転駆動される。
【０１０７】
また、室内機ケーシング１１３の上面には、部屋内の空気を室内機ケーシング１１３の内部に取り込むための吸い込み開口１２３が形成されている。このため、吸い込み開口１２３から取り込まれた部屋内の空気は、室内機ケーシング１１３内部の室内熱交換器１０４等によって調和される。
【０１０８】
さらに、室内機ケーシング１１３の前面下部には、吹き出し開口１３０が形成されている。また、吹き出し開口１３０の近傍には、フラップ１２２が設けられている。フラップ１２２は、室内機ケーシング１１３の長手方向に長い形状を有する板状の部材であり、室内機ケーシング１１３の長手方向に平行な回転軸１２８と、フラップ駆動モータ（図示せず）とを有している。フラップ１２２は、フラップ駆動モータによって回転軸１２８を中心に回転されることで、吹き出し開口１３０を遮蔽または開放する。また、フラップ１２２の水平面に対する傾斜角度を調整することで、フラップ１２２は、吹き出し開口１３０から部屋内に吹き出される空気の風向を変更することができる。なお、空気調和機から空気が吹き出される部屋内とは、空調対象者の居住空間であるインテリアゾーンＩＺと、インテリアゾーンＩＺよりも窓Ｗ２や壁面Ｗ１近傍の空間であるペリメータゾーンＰＺとを有する室内空間である。また、フラップ１２２は、空気調和機の運転動作等に応じて、３つの状態（閉状態、スイング状態およびペリメータ角度状態）になることが可能である。次に、フラップ１２２の各状態について説明する。
【０１０９】
閉状態においては、図１４に示すように、フラップ１２２は、吹き出し開口１３０を概ね閉じた状態となる。
【０１１０】
スイング状態においては、図１５および図１６に示すように、フラップ１２２は、吹き出し開口１３０から吹き出される空気の吹き出し方向がインテリアゾーンＩＺを向く角度範囲内を、回転軸１２８を中心に可変する。このため、スイング状態では、吹き出し開口１３０からインテリアゾーンＩＺに対して所定の風向範囲内で空気が吹き出される。なお、図１５には、スイング状態において、吹き出し開口１３０から吹き出される空気の風向（第１風向に相当）の一例を矢印Ａ３で示している。
【０１１１】
ペリメータ角度状態では、図１７および図１８に示すように、フラップ１２２は、吹き出し開口１３０から吹き出される空気の吹き出し方向がペリメータゾーンＰＺを向く角度となる。このため、ペリメータ角度状態では、吹き出し開口１３０からインテリアゾーンＩＺよりもペリメータゾーンＰＺにより多くの空気が吹き出される。なお、図１７には、ペリメータ角度状態において、吹き出し開口１３０から吹き出される空気の風向（第２風向に相当）を矢印Ａ４で示している。
【０１１２】
以上のような構成を有する室内機１０１において、例えば、フラップ１２２の状態がスイング状態である場合に、室内ファン１０５を回転させると、図１６に示すように、部屋内の空気が吸い込み開口１２３から吸い込まれて室内熱交換器１０４へと送られる。室内熱交換器１０４に送られた空気は、室内熱交換器１０４を通過する際に温度調節され調和空気となる。そして、室内熱交換器１０４を通過した調和空気は、吹き出し開口１３０から部屋内のインテリアゾーンＩＺへ供給される。
【０１１３】
また、フラップ１２２の状態がペリメータ角度状態である場合に、室内ファン１０５を回転させると、図１８に示すように、部屋内の空気が吸い込み開口１２３から吸い込まれて室内熱交換器１０４へと送られる。室内熱交換器１０４に送られた空気は、室内熱交換器１０４を通過する際に温度調節され調和空気となる。そして、室内熱交換器１０４を通過した調和空気は、吹き出し開口１３０から部屋内のペリメータゾーンＰＺに供給される。
【０１１４】
このような壁掛型の室内機１０１を備える空気調和機においても、上記実施形態と同様に、制御部によって、部屋内のインテリアゾーンＩＺの温度が安定していると判断された場合にはフラップ１２２の状態がスイング状態からペリメータ角度状態に切り換えられたり、切り換え条件のうちの少なくとも１つの条件が満たされている場合にはフラップ１２２の状態をペリメータ角度状態からスイング状態に切り換えられたりする制御が行われることで、ペリメータゾーンＰＺにエアバリアを形成することができる。したがって、窓Ｗ２や壁面Ｗ１の空気がインテリアゾーンＩＺへ進出するおそれを減らすことができる。
【０１１５】
これによって、冬季において暖房運転が行われている場合には窓Ｗ２や壁面Ｗ１からの冷輻射および冷気侵入を抑えることができ、夏季において冷房運転が行われている場合には窓Ｗ２や壁面Ｗ１からの日射による影響を抑えることができる。
【０１１６】
なお、図１５および図１７において、符号１３３は、部屋内のインテリアゾーンＩＺの温度情報を検知するための室温サーミスタを示している。
【０１１７】
（Ｃ）
上記実施形態では、判定部６２によって、（１）から（７）の条件が満たされているか否かが判定されている。また、制御部６０は、判定部６２による判定に基づいて、部屋内のインテリアゾーンＩＺの温度が安定しているか否かを判断している。
【０１１８】
これに代えて、部屋内のインテリアゾーンの温度が安定しているか否かを判断するために判定部によって判定される条件として、（１）から（７）の条件の他に、以下の条件が含まれていてもよい。
【０１１９】
（８）フラップの状態がスイング状態となってから所定時間（第５所定時間および第８所定時間に相当）以上経過している
（９）圧縮機の運転周波数（Ｈｚ）が所定範囲内にある状態での暖房運転または冷房運転が所定時間以上行われている
（１０）室内熱交換器の温度が所定範囲内にある状態での暖房運転または冷房運転が所定時間以上行われている
（１１）電動膨張弁の開度が所定範囲内である状態が所定時間以上経過している
（１２）部屋内のインテリアゾーンの温度が所定範囲内である状態が所定時間以上経過している
（１３）所定時間内における部屋内のインテリアゾーンの温度と設定温度の偏差が所定範囲内である
なお、制御部は、判定部によって、（１）から（８）の条件が満たされていると判定され、かつ、（９）から（１３）の条件のうちのいずれか１つが満たされたと判定された場合に、部屋内のインテリアゾーンの温度が安定していると判断する。また、上述の（９）から（１３）の条件は、能力供給中、すなわち、圧縮機の作動中において判定される条件である。
【０１２０】
（Ｄ）
上記実施形態では、制御部６０は、（１）から（５）の切り換え条件のうちの少なくとも１つの条件が満たされていると判断した場合に、フラップ２２ａ，２２ｂの状態をペリメータ角度状態からスイング状態に切り換える。
【０１２１】
これに加えて、切り換え条件として、（１）から（５）の条件の他に条件が含まれていてもよい。
【０１２２】
（６）空気調和機において運転が停止された
（７）運転モードが変更された
（８）フラップの状態がペリメータ角度状態となった時の室内熱交換器の温度から所定温度以上室内熱交換器の温度が上昇している
制御部は、（１）から（８）の切り換え条件のうち、少なくとも１つの条件が満たされていると判断した場合に、フラップの状態をペリメータ角度状態からスイング状態に切り換える。例えば、（８）の条件が満たされた場合には、過剰なショートサーキットを防止することができる。
【０１２３】
（Ｅ）
上記実施形態では、ペリメータ角度状態において、フラップ２２ｂは、吹き出し開口２４ｂから吹き出される空気の吹き出し方向がペリメータゾーンＰＺを向く角度に固定されている。
【０１２４】
これに代えて、ペリメータ角度状態においてフラップの角度が固定されていなくてもよい。また、スイング状態において空気が吹き出される範囲とペリメータ角度状態において空気が吹き出される範囲との一部が重なっていてもよい。
【０１２５】
例えば、スイング状態（第１風向状態に相当）においては、図１９に示すように、フラップ２２２ａ，２２２ｂは、吹き出し開口２２４ａ，２２４ｂから吹き出される空気の吹き出し方向が主にインテリアゾーンＩＺを向く角度範囲内を、回転軸を中心に可変する。このため、スイング状態では、吹き出し開口２２４ａ，２２４ｂから主にインテリアゾーンＩＺに対して所定の風向範囲Ｂ１内に空気が吹き出される。なお、図１９には、スイング状態において、吹き出し開口２２４ａ，２２４ｂから吹き出される空気の風向のうち最も部屋の壁面Ｗ１および窓Ｗ２側に吹き出される風向を符号Ａ６で示し、吹き出し開口２２４ａ，２２４ｂから吹き出される空気の風向のうち最も部屋の壁面Ｗ１および窓Ｗ２側から遠い側、すなわち、部屋内の中央空間側に吹き出される風向を符号Ａ５で示している。言い換えると、スイング状態における所定の風向範囲Ｂ１とは、風向Ａ５から風向Ａ６までの範囲のことである。
【０１２６】
また、ペリメータ角度状態（第２風向状態に相当）では、図１９に示すように、フラップ２２２ａ，２２２ｂは、吹き出し開口２２４ａ，２２４ｂから吹き出される空気の吹き出し方向が主にペリメータゾーンＰＺを向く角度範囲内を、回転軸を中心に可変する。このため、ペリメータ角度状態では、吹き出し開口２２４ａ，２２４ｂから主にペリメータゾーンＰＺに対して所定の風向範囲Ｂ２内に空気が吹き出される。なお、ペリメータ角度状態では、所定の風向範囲Ｂ２内に空気が吹き出されることで、インテリアゾーンＩＺよりもペリメータゾーンＰＺに対してより多くの空気が吹き出される。また、図１９には、ペリメータ角度状態において、吹き出し開口２２４ａ，２２４ｂから吹き出される空気の風向のうち最も部屋の壁面Ｗ１および窓Ｗ２側に吹き出される風向を符号Ａ８で示し、吹き出し開口２２４ａ，２２４ｂから吹き出される空気の風向のうち最も部屋の壁面Ｗ１および窓Ｗ２側から遠い側に吹き出される風向を符号Ａ７で示している。言い換えると、ペリメータ角度状態における所定の風向範囲Ｂ２とは、風向Ａ７から風向Ａ８までの範囲のことである。また、本変形例では、ペリメータ角度状態における風向Ａ７は、スイング状態における風向Ａ５よりも、部屋の壁面Ｗ１および窓Ｗ２側に向かう風向である。また、ペリメータ角度状態における風向Ａ８は、スイング状態における風向Ａ６よりも、部屋の壁面Ｗ１および窓Ｗ２側に向かう風向である。
【０１２７】
このように、ペリメータ角度状態における風向範囲Ｂ２がスイング状態における風向範囲Ｂ１よりもペリメータゾーンＰＺ側に配されることによって、ペリメータゾーンＰＺにエアバリアを形成することができる。したがって、壁面Ｗ１および窓Ｗ２近傍の空気がインテリアゾーンへ進出するおそれを減らすことができる。
【０１２８】
これによって、冬季において暖房運転が行われている場合には窓や壁面からの冷輻射および冷気侵入を抑えることができ、夏季において冷房運転が行われている場合には窓や壁面からの日射による影響を抑えることができる。
【０１２９】
なお、図１９において、符号２２１はパネルを示し、符号２２３は第１開口を示している。
【産業上の利用可能性】
【０１３０】
本発明は、専用の吹き出し口を設けなくても、部屋内の快適性を維持することができるため、空気調和機への適用が有効である。
【符号の説明】
【０１３１】
２０      化粧パネル（ケーシング）
２３      第１開口（吸い込み開口）
６０      制御部
６１      取得部
６２      判定部
１００      空気調和機
１１３      室内機ケーシング（ケーシング）
４，１０４  室内熱交換器（熱交換器）
５，１０５  室内ファン（ファン）
２２ａ，２２ｂ，１２２，２２２ａ，２２２ｂ  フラップ（風向調整部）
２４ａ，２４ｂ，１２４，２２４ａ，２２４ｂ  吹き出し開口
【先行技術文献】
【特許文献】
【０１３２】
【特許文献１】特開２０００−３３７６５１号公報
【図１】
2009210257.tif 000003
【図２】
2009210257.tif 000004
【図３】
2009210257.tif 000005
【図４】
2009210257.tif 000006
【図５】
2009210257.tif 000007
【図６】
2009210257.tif 000008
【図７】
2009210257.tif 000009
【図８】
2009210257.tif 000010
【図９】
2009210257.tif 000011
【図１０】
2009210257.tif 000012
【図１１】
2009210257.tif 000013
【図１２】
2009210257.tif 000014
【図１３】
2009210257.tif 000015
【図１４】
2009210257.tif 000016
【図１５】
2009210257.tif 000017
【図１６】
2009210257.tif 000018
【図１７】
2009210257.tif 000019
【図１８】
2009210257.tif 000020
【図１９】
2009210257.tif 000021
【手続補正書】
【提出日】平成21年7月13日(2009.7.13)
【手続補正１】
【補正対象書類名】明細書
【補正対象項目名】全文
【補正方法】変更
【補正の内容】
【発明の詳細な説明】
【技術分野】
【０００１】
本発明は、エアバリアを形成する機能を有する空気調和機に関する。
【背景技術】
【０００２】
部屋内の空間には、年間を通じて屋外の温度の影響を受けにくい中央空間（以下、インテリアゾーンという）と、屋外の温度の影響を受けやすい窓や壁面近傍の空間（以下、ペリメータゾーンという）とが存在する。ペリメータゾーンが屋外の温度の影響を受けている場合、屋外の温度の影響を受けた空気がペリメータゾーンからインテリアゾーンに進出したりすることで、それぞれの空間の空気が拡散される。このため、例えば、インテリアゾーンに空調対象者が存在する場合、部屋内の空気調和が行われていても、屋外の温度の影響を受けた空気がインテリアゾーンに進出し空調対象者に接触することで、快適性を損なうおそれがある。
【０００３】
そこで、近年の空気調和機には、屋外の温度の影響を受けた空気がインテリアゾーンに進出することを防ぐために、窓や壁面近傍にエアバリアを形成する機能を有するものがある。例えば、特許文献１（特開２０００−３３７６５１号公報）に開示されている空気調和機は、エアバリアを形成するための専用の吹き出し口から窓や壁面近傍に向けて調和空気を吹き出すことで、ペリメータゾーンにエアバリアを形成する。この空気調和機では、窓や壁面近傍の空気がインテリアゾーンへ進出するおそれを減らしている。これによって、部屋内の快適性を維持している。
【発明の概要】
【発明が解決しようとする課題】
【０００４】
ところで、特許文献１に開示されている空気調和機では、ペリメータゾーンにエアバリアを形成するために、エアバリアを形成するための専用の吹き出し口が設けられている。
【０００５】
そこで、本発明の課題は、専用の吹き出し口を設けなくても、部屋内の快適性を維持することができる空気調和機を提供することにある。
【課題を解決するための手段】
【０００６】
第１発明に係る空気調和機は、ケーシングと、風向調整部と、制御部と、取得部と、を備えている。ケーシングには、吹き出し開口と吸い込み開口とが形成されている。吸い込み開口は、部屋内の空気を取り込むための開口であって、吹き出し開口よりも壁面側に設けられている。風向調整部は、第１風向と、第２風向とを切り換え可能である。第１風向とは、吹き出し開口から所定の風向範囲内に吹き出す空気の吹き出し方向である。また、第２風向とは、吹き出し開口から所定の風向範囲よりも部屋の壁面側に吹き出す空気の吹き出し方向である。制御部は、部屋内の温度が安定しているか否かを判定する。また、制御部は、部屋内の温度が安定していない状態である第１状態の場合には、第１風向となるように、風向調整部の切り換え動作を制御する。さらに、制御部は、第１状態とは別の状態であり部屋内の温度が安定している状態である第２状態である場合には、第２風向となるように、風向調整部の切り換え動作を制御する。取得部は、部屋内の温度情報を取得する機能を有する。また、制御部は、暖房運転時において、吹き出し開口からの空気の吹き出し方向が第２風向である場合に、取得部を機能が停止している状態である機能停止状態にすることが可能である。
【０００７】
第１発明に係る空気調和機では、制御部は、温度が安定している状態である第２状態である場合、所定の風向範囲よりも部屋の壁面側に吹き出す空気の吹き出し方向である第２風向となるように、風向調整部の切り換え動作を制御する。このため、吹き出し開口から吹き出される空気の吹き出し方向を変更することによって所定の風向範囲よりも部屋の壁面側に空気を吹き出し、ペリメータゾーンにエアバリアを形成することができる。したがって、壁面近傍の空気がインテリアゾーンへ進出するおそれを減らすことができる。また、制御部は、部屋内の温度が安定していない状態である第１状態の場合、風向調整部の切り換え動作を制御して、空気の吹き出し方向を第１風向に切り換える。したがって、部屋内の温度が安定していない状態の場合には、空気の吹き出し方向が第１風向から第２風向に切り換えられないため、ペリメータゾーンよりもインテリアゾーンに多くの空気が吹き出されることになる。
【０００８】
これによって、専用の吹き出し開口を設けなくても、部屋内の快適性を維持することができる。
【０００９】
また、吸い込み開口が吹き出し開口よりも壁面側に設けられているため、吹き出し開口が吸い込み開口よりも部屋の壁面側に設けられている空気調和機と比較して、インテリアゾーンに効率よく調和空気を吹き出すことができる。
【００１０】
これによって、部屋内の快適性を向上することができる。
【００１１】
さらに、制御部は、暖房運転時において、吹き出し開口からの空気の吹き出し方向が第２風向である場合に、取得部を機能が停止している状態である機能停止状態にすることが可能である。
【００１２】
例えば、吸い込み開口が吹き出し開口よりも部屋内の壁面側に設けられている空気調和機では、部屋内の壁面側に空気が吹き出される第２風向時には、調和空気が吹き出し開口から吹き出された直後に吸い込み開口から取り込まれる現象（以下、ショートサーキット現象という）が発生するおそれがある。また、暖房運転時であって吹き出し開口からの空気の吹き出し方向が第２風向である場合、吹き出し開口下側に吹き出された調和空気によってケーシング周辺が暖められるおそれがある。このため、取得部が常に機能している状態である場合、ショートサーキット現象が発生することで、または、ケーシング周辺が暖められることで、部屋内の温度情報を正確に取得できないおそれがある。しかし、この空気調和機では、暖房運転時であって空気の吹き出し方向が第２風向である場合、取得部を機能停止状態とすることができる。このため、不正確な温度情報を取得するおそれを減らすことができる。
【００１３】
第２発明に係る空気調和機は、第１発明の空気調和機であって、制御部は、吹き出し開口からの空気の吹き出し方向が第２風向から第１風向に切り換わった時から第１所定時間が経過するまで、取得部を機能停止状態にすることが可能である。
【００１４】
調和空気の吹き出し方向が第２風向から第１風向に切り換わった時からしばらくの間は、ショートサーキット現象が発生するおそれがある。しかしながら、第２発明の空気調和機では、空気の吹き出し方向が第２風向から第１風向に切り換わった時から第１所定時間が経過するまで取得部を機能停止状態とすることができる。このため、不正確な温度情報を取得するおそれを更に減らすことができる。
【００１５】
第３発明に係る空気調和機は、第１発明または第２発明の空気調和機であって、制御部は、部屋内の温度が安定しているか否かを判定する判定部を有する。判定部は、第１条件、第２条件、第３条件および第４条件のうちの少なくとも１つの条件を満たしている場合に、部屋内の温度が安定していると判定する。第１条件とは、部屋内の温度情報を利用して算出される部屋内の温度と、予め設定されている設定温度との差が所定範囲内であるという条件である。また、第２条件とは、暖房運転を含む空気調和機の運転開始時から第２所定時間以上経過しているという条件である。さらに、第３条件とは、取得部が機能停止状態になった時から第３所定時間以上経過しているという条件である。第４条件とは、吹き出し開口からの空気の吹き出し方向が第１風向である状態が第５所定時間以上経過しているという条件である。このため、この空気調和機では、部屋内の温度が安定しているか否かを判定することができる。
【００１６】
第４発明に係る空気調和機は、第３発明の空気調和機であって、熱交換機を更に備えている。熱交換器は、ケーシング内に取り込まれた部屋内の空気との間で熱交換を行う。また、制御部は、第１切り換え条件、第２切り換え条件、第３切り換え条件、および、第４切り換え条件のうちの少なくとも１つの切り換え条件を満たす場合に、第２風向から第１風向に風向調整部の切り換え動作を制御する。第１切り換え条件とは、風向調整部が、第１風向から第２風向に切り換えられてから第４所定時間以上経過しているという条件である。また、第２切り換え条件とは、熱交換器の温度が所定温度以上であるという条件である。さらに、第３切り換え条件とは、温度情報を利用して算出される部屋内の温度と予め設定されている設定温度との差が所定範囲外であるという条件である。第４切り換え条件とは、除霜運転が行われているという条件である。このため、この空気調和機では、風向調整部を第２風向から第１風向に切り換えることができる。
【００１７】
第５発明に係る空気調和機は、第１発明から第４発明のいずれかの空気調和機であって、吹き出し開口から吹き出される空気流を生成可能なファンを更に備えている。ファンは、ケーシング内に収容されている。また、制御部は、第２風向時に、ファンが所定の風量となるように、ファンの回転を制御する。このため、例えば、所定の風量をエアバリアの形成に必要となる最小限の風量に設定した場合、必要以上の風量でファンが回転される場合と比較して、省エネルギー効果を高めることができる。
【００１８】
第６発明に係る空気調和機は、第５発明の空気調和機であって、制御部は、複数回に分けてファンの回転数を変化させることでファンが所定の風量となるように、ファンの回転を制御する。このため、例えば、複数回に分けてファンの回転数を変化させない場合と比較して、急激なファンの回転音の変化を抑えることができる。
【００１９】
これによって、ファンの回転音が急に変化することによるユーザの不快感を抑えることができる。
【００２０】
第７発明に係る空気調和機は、第５発明または第６発明の空気調和機であって、制御部は、第１風向から第２風向に風向調整部の切り換え動作を制御する場合に、風向調整部の切り換え動作を制御する前にファンが所定の風量となるようにファンの回転を制御する。例えば、風向が第１風向から第２風向に切り換えられている間、または、風向が第２風向に切り換えられた時の方が、風向が第１風向である時よりも、風向調整部によって吹き出し開口の開口面積が小さくなる場合には、風向が第２風向に切り換わってからファンの風量が所定の風量になることでサージング音が大きくなるおそれがある。このため、ファンが所定の風量となるようにファンの回転を制御した後に、風向が第２風向となるように風向調整部が切り換えられることで、サージング音を軽減することができる。
【発明の効果】
【００２１】
第１発明に係る空気調和機では、専用の吹き出し開口を設けなくても、部屋内の快適性を維持することができる。
【００２２】
第２発明に係る空気調和機では、不正確な温度情報の取得を抑制することができる。
【００２３】
第３発明に係る空気調和機では、部屋内の温度が安定しているか否かを判定することができる。
【００２４】
第４発明に係る空気調和機では、風向調整部を第２風向から第１風向に切り換えることができる。
【００２５】
第５発明に係る空気調和機では、省エネルギー効果を高めることができる。
【００２６】
第６発明に係る空気調和機では、ユーザの不快感を抑えることができる。
【００２７】
第７発明に係る空気調和機では、サージング音を軽減することができる。
【図面の簡単な説明】
【００２８】
【図１】本発明の実施形態に係る空気調和機の概略冷媒回路図。
【図２】室内機の外観斜視図（天井は省略）。
【図３】室内機の縦断面図であって、空気調和機の運転停止状態を示す図（図２のIII−III断面に相当）。
【図４】室内機を化粧パネル側から見た概略平面図。
【図５】室内機の縦断面図であって、空気調和機の運転状態を示す図（図２のV−V断面に相当）。
【図６】フラップの（ａ）閉状態、（ｂ）スイング状態、および、（ｃ）ペリメータ角度状態を示す図。
【図７】化粧パネルの第２開口の拡大図。
【図８】本発明の実施形態に係る空気調和機の制御ブロック図。
【図９】判定部の判定条件であって、暖房運転時の所定範囲を示す図。
【図１０】判定部の判定条件であって、冷房運転時の所定範囲を示す図。
【図１１】本発明の実施形態に係る空気調和機の運転開始後からのフラップの状態を示すフローチャート。
【図１２】インテリアゾーンの温度安定条件における判定部による判定の流れを示すフローチャート。
【図１３】切り換え条件における制御部による判断の流れを示すフローチャート。
【図１４】参考例（Ｂ）において、フラップの状態が閉状態であるときの室内機の概略斜視図。
【図１５】参考例（Ｂ）において、フラップの状態がスイング状態であるときの一例を示す室内機の側面図。
【図１６】参考例（Ｂ）において、フラップの状態がスイング状態であるときの一例を示す室内機の縦断面図。
【図１７】参考例（Ｂ）において、フラップの状態がペリメータ角度状態である場合を示す室内機の側面図。
【図１８】参考例（Ｂ）において、フラップの状態がペリメータ角度状態である場合を示す室内機の縦断面図。
【図１９】参考例（Ｅ）において、フラップの状態がスイング状態である場合の風向範囲とフラップの状態がペリメータ角度状態である場合の風向範囲とを示す概略図。
【発明を実施するための形態】
【００２９】
＜空気調和機の構成概略＞
本発明の一実施形態に係る空気調和機１００は、天井に埋め込まれた状態で設置される天井埋込型の室内機１と、室外に設置される室外機３とを備えており、冷房運転、暖房運転、および除霜運転等を行うことができる。室内機１には、図１に示すように、室内熱交換器４が収容され、室外機３内には室外熱交換器６が収容されており、各熱交換器４，６が冷媒配管によって接続されることにより冷媒回路を構成している。この冷媒回路は、主として、室内熱交換器４、アキュムレータ１４、圧縮機９、四路切換弁８、室外熱交換器６および電動膨張弁１２で構成されている。
【００３０】
室内機１内には、室内熱交換器４の他に室内ファン５等が収容されている。なお、室内機１の詳細な構成については後に説明する。
【００３１】
室外機３には、圧縮機９の吐出側に接続される四路切換弁８と、圧縮機９の吸入側に接続されるアキュムレータ１４と、四路切換弁８に接続される室外熱交換器６と、室外熱交換器６に接続される電動膨張弁１２とが収容されている。電動膨張弁１２は、液閉鎖弁１０を介して液連絡配管に接続されており、この液連絡配管を介して室内熱交換器４の一端と接続されている。また、四路切換弁８は、ガス閉鎖弁１１を介してガス連絡配管に接続されており、このガス連絡配管を介して室内熱交換器４の他端と接続されている。さらに、室外機３には、室外熱交換器６での熱交換後の空気を外部に排出するためのプロペラファン７が収容されている。このプロペラファン７は、室外ファンモータによって回転駆動される。
【００３２】
＜室内機の構成＞
室内機１は、図２および図３に示すように、室内機本体２と、化粧パネル２０とを備えている。室内機本体２は、天井Uの開口Ｏを臨むように天井裏空間に配置される。また、化粧パネル２０は、開口Oを挟んで後述する室内機本体２の吸い込み側流路１９ａおよび吹き出し側流路１９ｂに対向するように室内機本体２に装着される。以下、室内機本体２および化粧パネル２０について説明する。
【００３３】
（１）室内機本体
室内機本体２は、図２および図３に示すように、室内機ケーシング１３、室内ファン５および室内熱交換器４等を有している。室内機ケーシング１３は、略直方体形状であり、下面が開口した箱状の形態を有している。また、室内機ケーシング１３には、室内ファン５および室内熱交換器４等が収容される。
【００３４】
室内ファン５は、長細い円筒形状に構成されるクロスフローファンであり、回転軸が室内機ケーシング１３の長手方向にそって延びるように、室内機ケーシング１３内部に収容されている。また、室内ファン５は、室内ファンモータ５ａ（図８参照）によって回転駆動されることで、回転軸と交わる方向に空気流を生成する。さらに、室内ファン５は、部屋内の空気を室内機本体２内に吸い込ませるとともに、室内熱交換器４との間で熱交換を行った後の空気を部屋内に吹き出させる。
【００３５】
室内熱交換器４は、長手方向両端で複数回折り返されてなる伝熱管と、伝熱管から挿通される複数のフィンとからなり、接触する空気との間で熱交換を行う。また、室内熱交換器４は、室内ファン５の下側の位置から室内ファン５から遠ざかるにつれて斜め上方に延びるように室内機ケーシング１３内に配置されている。
【００３６】
このように、室内機ケーシング１３内には、吸い込まれた部屋内の空気が、室内熱交換器４との間で熱交換を行い、再び部屋内に吹き出されるまでの空気流路が形成されている。また、この空気流路は、部屋内から吸い込まれた空気が室内熱交換器４に至るまでの流路部分である吸い込み側流路１９ａと、室内熱交換器４から室内ファン５を介して再び部屋内に吹き出されるまでの流路部分である吹き出し側流路１９ｂとから構成されている。
【００３７】
（２）化粧パネル
化粧パネル２０は、図２、図３および図４に示すように、平面視において、室内機ケーシング１３の天面よりも大きな略長方形状の部材である。また、化粧パネル２０には、第１開口２３（吸い込み開口に相当）および第２開口３０が設けられている。なお、本実施形態では、第１開口２３が第２開口３０よりも部屋内の壁面Ｗ側に設けられている。第１開口２３は、室内機本体２の吸い込み側流路１９ａに一致する位置に配置される略長方形状の開口である。また、第１開口２３は、吸い込み側流路１９ａを介して室内機ケーシング１３内部に連通するように設けられている。第２開口３０は、室内機本体２の吹き出し側流路１９ｂに一致する位置に配置される略長方形状の開口である。また、第２開口３０は、吹き出し側流路１９ｂを介して室内機ケーシング１３内部に連通するように設けられている。
【００３８】
さらに、第１開口２３には、第１開口２３の９０％を覆うことが可能なパネル２１が設けられている。パネル２１は、室内機本体２の長手方向に長い形状を有する板状の部材であり、室内機本体２の長手方向に平行な回転軸と、パネル駆動モータ２１ａ（図８参照）とを有している。また、パネル２１は、図３および図５に示すように、パネル駆動モータ２１ａによって回転軸を中心に回転されることで、第１開口２３を遮蔽または開放することができる。なお、回転軸は、化粧パネル２０において、化粧パネル２０の中央側に位置する第１開口２３の縁近傍に設けられている。また、本実施形態では、パネル２１は、後述するフラップ２２ａ，２２ｂの状態がスイング状態またはペリメータ角度状態であるときは、第１開口２３を開放している状態となっている。また、パネル２１は、フラップ２２ａ，２２ｂの状態が後述する閉状態であるときは、第１開口２３を遮蔽している状態となっている。なお、以下、パネル２１が、第１開口２３を開放している状態を開状態といい、第１開口２３を遮蔽している状態を閉状態という。
【００３９】
第２開口３０は、吹き出し開口２４ａ，２４ｂと隙間開口２５とから構成されている。吹き出し開口２４ａ，２４ｂおよび隙間開口２５は、連続して設けられている略長方形状の開口であり、吹き出し開口２４ａ，２４ｂと隙間開口２５との長辺の長さは同一である。また、隙間開口２５の短辺の長さは、後述するフラップ２２ａ，２２ｂが吹き出し開口２４ａ，２４ｂを閉じている状態で、１０ｍｍである。なお、本実施形態では、吹き出し開口２４ａ，２４ｂと隙間開口２５とが連続して設けられているが、吹き出し開口２４ａ，２４ｂと隙間開口２５とが独立して設けられていてもよい。
【００４０】
また、吹き出し開口２４ａ，２４ｂ近傍には、吹き出し開口２４ａ，２４ｂの９０％を覆うことが可能なフラップ２２ａ，２２ｂが設けられている。フラップ２２ａ，２２ｂは、室内機本体２の長手方向に長い形状を有する板状の部材であり、室内機本体２の長手方向に平行な回転軸２８ａ，２８ｂとフラップ駆動モータ２２ｃとを有している（図７および図８参照）。また、フラップ２２ａ，２２ｂは、図３、図５および図７に示すように、フラップ駆動モータ２２ｃによって回転軸２８ａ，２８ｂを中心に回転されることで、吹き出し開口２４ａ，２４ｂを遮蔽または開放する。また、フラップ２２ａ，２２ｂの水平面に対する傾斜角度を調整することで、フラップ２２ａ，２２ｂは、吹き出し開口２４ａ，２４ｂから部屋内に吹き出される空気の風向を変更することができる。なお、空気調和機１００から空気が吹き出される部屋内とは、空調対象者の居住空間であるインテリアゾーンＩＺと、インテリアゾーンＩＺよりも窓や壁面Ｗ近傍の空間であるペリメータゾーンＰＺとを有する室内空間である。また、本実施形態では、フラップ２２ａ，２２ｂは、空気調和機１００の運転動作等に応じて、３つの状態（閉状態、スイング状態およびペリメータ角度状態）になることが可能である。次に、図６を用いて、フラップ２２ａ，２２ｂの各状態について説明する。なお、本実施形態では、フラップ２２ａ，２２ｂの各状態におけるフラップ２２ａの水平面に対する傾斜角度とフラップ２２ｂの水平面に対する傾斜角度とは等しいため、ここでは、フラップ２２ｂを例にして説明し、フラップ２２ａの説明は省略する。
【００４１】
まず、閉状態においては、図６（ａ）に示すように、フラップ２２ｂは、吹き出し開口２４ｂを概ね閉じた状態、すなわち、吹き出し開口２４ｂとフラップ２２ｂとの隙間が最も小さくなった状態になっており、本実施形態において、フラップ２２ｂの水平面に対する傾斜角度α（図６（ａ）では省略）は、０度となる。
【００４２】
スイング状態においては、図６（ｂ）に示すように、フラップ２２ｂは、吹き出し開口２４ｂから吹き出される空気の吹き出し方向がインテリアゾーンＩＺを向く角度範囲内（例えば、フラップ２２ｂの水平面に対する傾斜角度αが、冷房運転時および暖房運転時ともに３８度から７０度の範囲内）を回転軸２８ａ，２８ｂを中心に可変する。このため、スイング状態では、吹き出し開口２４ａ，２４ｂからインテリアゾーンＩＺに対して所定の風向範囲内で空気が吹き出される。なお、図６（ｂ）には、スイング状態において、吹き出し開口２４ａ，２４ｂから吹き出される空気の風向（第１風向に相当）の一例を矢印Ａ１で示している。
【００４３】
ペリメータ角度状態では、図６（ｃ）に示すように、フラップ２２ｂは、吹き出し開口２４ｂから吹き出される空気の吹き出し方向がペリメータゾーンＰＺを向く角度（例えば、フラップ２２ｂの水平面に対する傾斜角度αが１００度）となる。このため、ペリメータ角度状態では、吹き出し開口２４ａ，２４ｂからインテリアゾーンＩＺよりもペリメータゾーンＰＺにより多くの空気が吹き出される。なお、図６（ｃ）には、ペリメータ角度状態において、吹き出し開口２４ａ，２４ｂから吹き出される空気の風向（第２風向に相当）を矢印Ａ２で示している。
【００４４】
また、本実施形態では、図７に示すように、フラップ２２ａ，２２ｂが回動することによって、隙間開口２５の短辺の長さが変化する。例えば、吹き出し開口２４ａ，２４ｂがフラップ２２ａ，２２ｂによって開放されている場合の隙間開口２５の短辺の長さＬ２は、吹き出し開口２４ａ，２４ｂがフラップ２２ａ，２２ｂによって遮蔽されている状態の場合の隙間開口２５の短辺の長さＬ１と比較して、短くなる。なお、回転軸２８ａ，２８ｂは、化粧パネル２０において、化粧パネル２０の中央側に位置する吹き出し開口２４ａ，２４ｂの縁近傍に設けられている。
【００４５】
以上のような構成を有する室内機１において、例えば、フラップ２２ａ，２２ｂの状態がスイング状態である場合に、室内ファン５を回転させると、図５に示すように、部屋内の空気が第１開口２３から吸い込まれフィルタ４０および吸い込み側流路１９ａを介して室内熱交換器４へと送られる。室内熱交換器４に送られた空気は、室内熱交換器４を通過する際に温度調節され調和空気となる。そして、室内熱交換器４を通過した調和空気は、吹き出し側流路１９ｂを介して化粧パネル２０の第２開口３０の主に吹き出し開口２４ａ，２４ｂから部屋内のインテリアゾーンＩＺへ供給される。
【００４６】
＜制御部＞
制御部６０は、図８に示すように、室内機１に収容される室内ファンモータ５ａ、室内熱交換器４および室内熱交換器サーミスタ等の各種機器や、室外機３に収容される圧縮機９、四路切換弁８、電動膨張弁１２、室外熱交換器６および室外熱交換器サーミスタ等の各種機器と接続されており、リモートコントローラ５０等を介した空調対象者からの運転指令に基づいて、冷房運転および暖房運転等の各運転に応じて各種機器の運転制御を行う。また、リモートコントローラ５０には「パワフル運転設定」ボタンが設けられており、この「パワフル運転設定」ボタンが空調対象者によって押されると、制御部６０は、冷房運転または暖房運転をパワフル運転モードに切り換える。なお、ここでいうパワフル運転モードとは、一時的に室内ファン５の回転数や圧縮機９の運転周波数等を上げることで、一時的に空気調和機１００の空気調和処理能力を向上させることができるモードのことである。
【００４７】
また、制御部６０は、パネル駆動モータ２１ａおよびフラップ駆動モータ２２ｃと接続されており、パネル２１およびフラップ２２ａ，２２ｂの回動を制御することで、パネル２１およびフラップ２２ａ，２２ｂの状態を切り換えることができる。また、制御部６０は、空気調和機１００の運転停止時には、パネル２１およびフラップ２２ａ，２２ｂをともに閉状態に切り換える。また、空気調和機１００の運転時には、パネル２１を開状態にし、フラップ２２ａ，２２ｂの状態をスイング状態またはペリメータ角度状態に切り換える。さらに、空気調和機１００の運転時に、リモートコントローラ５０等を介した空調対象者からの角度設定指令があった場合には、制御部６０は、この角度設定指令に基づいて、パネル２１およびフラップ２２ａ，２２ｂの回動を制御することで、パネル２１およびフラップ２２ａ，２２ｂの水平面に対する傾斜角度を調整することができる。
【００４８】
また、制御部６０には、室温サーミスタ３３によって検知される部屋内のインテリアゾーンＩＺの温度情報を取得する機能を有する取得部６１が含まれる。制御部６０は、暖房運転時であり、かつ、フラップ２２ａ，２２ｂの状態がペリメータ角度状態である場合には、取得部６１の機能を停止させる。また、制御部６０は、フラップ２２ａ，２２ｂの状態がペリメータ角度状態からスイング状態に切り換わった時から所定時間（第１所定時間に相当、例えば、１５０秒）が経過するまで、取得部６１の機能を停止させる。なお、本実施形態では、室温サーミスタ３３は、室内機１内部の第１開口２３近傍に配置されている。
【００４９】
さらに、制御部６０は、判定部６２として機能する。判定部６２では、以下の条件が満たされているか否かが判定される。
【００５０】
（１）部屋内のインテリアゾーンＩＺの温度と設定温度との差が所定範囲内である
（２）運転開始から所定時間（第２所定時間および第６所定時間に相当）以上経過している
（３）サーモオン開始後から所定時間以上経過している
（４）除霜運転中ではない
（５）パワフル運転中ではない
（６）取得部６１が、機能を停止された状態から機能している状態になってから所定時間以上経過している
（７）除霜運転から暖房運転に運転内容が変更されてから所定時間以上経過している
また、上記の条件を満たしているか否かの判定とは、（１）については、判定部６２は、まず、取得部６１によって取得された温度情報を利用して算出される部屋内のインテリアゾーンＩＺの温度と、予め空調対象者等によって設定されている設定温度との差の値を算出する。具体的には、判定部６２は、暖房運転時には設定温度からインテリアゾーンＩＺの温度を引いた値を算出し、冷房運転時にはインテリアゾーンＩＺの温度から設定温度を引いた値を算出する。そして、判定部６２は、その値が、暖房運転時には図９に示すＡからＥの範囲内であるか否かを判定し、冷房運転時には図１０に示すAからＥの範囲内であるか否かを判定する。なお、図９および図１０中の「上昇時」とはインテリアゾーンＩＺの温度上昇時を意味し、「下降時」とはインテリアゾーンＩＺの温度下降時を意味する。このため、暖房運転の運転開始時は「上昇時」から開始され、冷房運転の運転開始時は「下降時」から開始されることになる。そして、その差が上記範囲内である場合、判定部６２は、（１）の条件を満たしていると判定する。例えば、暖房運転開始時では、設定温度からインテリアゾーンＩＺの温度を引いた値が図９に示すＡからＥの範囲内である場合、判定部６２は、（１）の条件を満たしていると判定する。
【００５１】
（２）については、空気調和機１００において、冷房運転および暖房運転等の各運転が開始されてから所定時間（例えば、５分）以上経過している場合には、判定部６２は、（２）の条件を満たしていると判定する。
【００５２】
（３）については、空気調和機１００においてサーモオンが開始されてから所定時間（例えば、５分）以上経過している場合には、判定部６２は、（３）の条件を満たしていると判定する。
【００５３】
（４）については、空気調和機１００の各運転において、除霜運転以外の運転が行われている場合には、判定部６２は、（４）の条件を満たしていると判定する。なお、除霜運転とは、暖房運転中に行われる運転であって、室外熱交換器についた霜を溶かすために自動的に行われる運転である。
【００５４】
（５）については、空調対象者等の運転指示によってパワフル運転モードに設定されていない場合には、判定部６２は、（５）の条件を満たしていると判定する。
【００５５】
（６）については、取得部６１が機能停止状態から機能状態になってから所定時間（例えば、１５０秒）以上経過している場合には、判定部６２は、（６）の条件を満たしていると判定する。すなわち、取得部６１が機能停止状態となってから所定時間（第３所定時間および第７所定時間に相当）が経過している場合に、判定部は、（６）の条件を満たしていると判定する。
【００５６】
（７）については、除霜運転から暖房運転に運転内容が変更された時から所定時間（例えば、５分）以上経過している場合には、判定部６２は、（７）の条件を満たしていると判定する。
【００５７】
判定部６２による上記判定に基づいて、制御部６０は、部屋内のインテリアゾーンＩＺの温度が安定しているか否かを判断する。なお、空気調和機１００の運転開始から制御部６０によって最初に行われる判断では、制御部６０は、判定部６２によって（１）から（５）の条件が満たされていると判定された場合に、部屋内のインテリアゾーンＩＺの温度が安定していると判断する。また、空気調和機１００の運転開始から制御部６０によって部屋内のインテリアゾーンＩＺの温度が安定していると１回以上判断されている場合では、制御部６０は、判定部６２によって上記条件のうちの（１）から（６）までの条件が満たされていると判定された場合に、部屋内のインテリアゾーンＩＺの温度が安定していると判断する。なお、（７）の条件については、除霜運転が行われた場合にのみ含まれる条件である。例えば、暖房運転中に除霜運転が行われた場合、制御部６０は、判定部６２によって上記条件のうちの全ての条件が満たされていると判定された場合に、部屋内のインテリアゾーンＩＺの温度が安定していると判断する。
【００５８】
なお、本実施形態では、判定部６２によって上記条件のうちの（１）から（５）まで、（１）から（６）まで、あるいは、（１）から（７）までの条件が満たされていると判定された場合に、制御部６０によって、部屋内のインテリアゾーンＩＺの温度が安定していると判断されている。しかし、これに限定されず、例えば、（１）から（７）までの条件のうち少なくともいずれか１つの条件が満たされた場合に、制御部によって部屋内のインテリアゾーンＩＺの温度が安定していると判断されてもよい。
【００５９】
また、本実施形態では、制御部６０は、フラップ２２ａ，２２ｂの状態がペリメータ角度状態からスイング状態に切り換わった時から所定時間が経過するまで、取得部６１の機能を停止させている。しかし、これに代えて、制御部は、暖房運転時であってフラップの状態がペリメータ角度状態からスイング状態に切り換わった場合に、フラップの状態が切り換わった時から所定時間が経過するまで取得部の機能を停止させてもよい。すなわち、制御部が、ショートサーキット現象の起こりやすい暖房運転時にのみ取得部の機能を停止させ、冷房運転時には取得部の機能を停止させないようにしてもよい。なお、この場合には、判定部によって判定される上記条件のうち（６）の条件は、暖房運転時にのみ判定される条件となる。
【００６０】
さらに、制御部６０は、部屋内のインテリアゾーンＩＺの温度が安定していると判断した場合、フラップ２２ａ，２２ｂの状態をスイング状態からペリメータ角度状態に切り換える。なお、制御部６０は、部屋内のインテリアゾーンＩＺの温度が安定していないと判断した場合、フラップ２２ａ，２２ｂの状態をスイング状態で維持する。
【００６１】
また、制御部６０は、以下の切り換え条件のうちの少なくとも１つの条件が満たされていると判断した場合に、フラップ２２ａ，２２ｂの状態をペリメータ角度状態からスイング状態に切り換える。
【００６２】
（１）フラップ２２ａ，２２ｂの状態がペリメータ角度状態になってから所定時間（第４所定時間および第９所定時間に相当）以上経過している
（２）暖房運転時において室内熱交換器４の温度が所定温度以上である
（３）除霜運転が行われている
（４）部屋内のインテリアゾーンＩＺの温度と設定温度との差が所定範囲外である
（５）パワフル運転が行われている
例えば、（１）の切り換え条件では、フラップ２２ａ，２２ｂの状態がペリメータ角度状態になってから所定時間（例えば、２分）以上経過している場合には、制御部６０は、（１）の切り換え条件が満たされていると判断する。
【００６３】
（２）の切り換え条件では、室内熱交換器４内を流れる冷媒の温度を検知する熱交換器サーミスタから取得される温度情報を利用して、室内熱交換器４の温度が所定温度以上（例えば、５４度）である場合には、制御部６０は、（２）の切り換え条件が満たされていると判断する。なお、（２）の切り換え条件は、暖房運転時のみの切り換え条件である。
【００６４】
（３）の切り換え条件では、除霜運転が行われている場合には、制御部６０は、（３）の切り換え条件を満たしていると判断する。
【００６５】
（４）の切り換え条件では、暖房運転時には、判定部６２によって算出された設定温度からインテリアゾーンＩＺの温度を引いた値が図９に示すＦ〜Ｌの範囲内であると判定された場合、制御部６０は、（４）の条件を満たしていると判断する。また、冷房運転時には、判定部６２によって算出されたインテリアゾーンＩＺの温度から設定温度を引いた値が図１０に示すＦ〜Ｌの範囲内であると判定された場合、制御部６０は、（４）の条件を満たしていると判断する。
【００６６】
（５）の切り換え条件では、空調対象者等の運転指示によって、パワフル運転モードに設定されている場合、制御部は、（５）の切り換え条件を満たしていると判断する。
【００６７】
＜フラップの状態の切り換え動作＞
次に、図１１、図１２および図１３を用いて、冷房運転または暖房運転の運転時における制御部６０によるフラップの状態の切り換え動作について説明する。なお、ここでは、冷房運転または暖房運転が開始されており、制御部６０によって、パネル２１の状態が閉状態から開状態に、フラップ２２ａ，２２ｂの状態が閉状態からスイング状態に切り換えられている。
【００６８】
判定部６２は、インテリアゾーンＩＺの温度の安定条件を判定する（ステップＳ１）。このとき、制御部６０は、まず、空気調和機１００の運転開始から現時点までにフラップ２２ａ，２２ｂの状態をペリメータ角度状態に切り換えているか否かを判断する（ステップＳ２）。そして、制御部６０は、空気調和機１００の運転開始から現時点までにフラップ２２ａ，２２ｂの状態をペリメータ角度状態に切り換えていないと判断した場合、次に、空気調和機１００の運転開始から除霜運転が行われたか否かについて判断する（ステップＳ３）。そして、制御部６０が、空気調和機１００の運転開始から現時点までにフラップ２２ａ，２２ｂの状態をペリメータ角度状態に切り換えていないと判断し、かつ、空気調和機１００の運転開始から除霜運転が行われていないと判断した場合、判定部６２によって（１）から（５）の条件が満たされているか否かが判定される（ステップＳ４〜ステップＳ８）。そして、判定部６２によって（１）から（５）のうちのすべての条件が満たされていると判定された場合、制御部６０は、部屋内のインテリアゾーンＩＺの温度が安定していると判断し、フラップ２２ａ，２２ｂの状態をスイング状態からペリメータ角度状態に切り換える（ステップＳ１１、ステップＳ１２）。また、判定部６２によって（１）から（５）の条件のうちの少なくとも１つの条件が満たされていないと判定された場合、制御部６０は、部屋内のインテリアゾーンＩＺの温度が安定していないと判断し、フラップ２２ａ，２２ｂの状態をスイング状態で維持する。そして、所定時間経過後、再び、判定部６２によって（１）から（５）の条件が満たされているか否かが判定される。なお、（１）から（５）の条件が満たされているか否かの判定は、（１）から（５）のうちのすべての条件が満たされるまで繰り返される。
【００６９】
さらに、ステップＳ２において、制御部６０が空気調和機１００の運転開始から１回以上フラップ２２ａ，２２ｂの状態をペリメータ角度状態に切り換えていると判断した場合、判定部６２によって（６）の条件が満たされているか否かが判定される（ステップＳ９）。そして、判定部６２によって（６）の条件が満たされていると判定された場合、制御部６０は、空気調和機１００の運転開始から除霜運転が行われたか否かについて判断する（ステップＳ３）。このとき、制御部６０が、空気調和機１００の運転開始から除霜運転が行われていないと判断した場合、判定部６２によって（１）から（５）の条件が満たされているか否かが判定される（ステップＳ４〜ステップＳ８）。そして、判定部６２によって（１）から（５）のうちのすべての条件が満たされていると判定された場合、制御部６０は、部屋内のインテリアゾーンＩＺの温度が安定していると判断し、フラップ２２ａ，２２ｂの状態をスイング状態からペリメータ角度状態に切り換える（ステップＳ１１、ステップＳ１２）。また、判定部６２によって（１）から（５）の条件のうちの少なくとも１つの条件が満たされていないと判定された場合、制御部６０は、部屋内のインテリアゾーンＩＺの温度が安定していないと判断し、フラップ２２ａ，２２ｂの状態をスイング状態で維持する。さらに、ステップＳ９において、判定部６２によって（６）の条件が満たされていないと判定された場合、制御部６０は、部屋内のインテリアゾーンＩＺの温度が安定していないと判断し、フラップ２２ａ，２２ｂの状態をスイング状態で維持する。そして、所定時間経過後、再び、判定部６２によって（６）の条件が満たされているか否かが判定される。なお、（６）の条件が満たされているか否かの判定は、（６）の条件が満たされるまで繰り返される。
【００７０】
また、ステップＳ３において、制御部６０が、空気調和機１００の運転開始から除霜運転が行われたと判断した場合、判定部６２によって（７）の条件が満たされているか否かが判定される（ステップＳ１０）。そして、判定部６２によって（７）の条件が満たされていると判定された場合、判定部６２は、（１）から（５）の条件が満たされているか否かを更に判定する（ステップＳ４〜ステップＳ８）。このとき、判定部６２によって（１）から（５）のうちのすべての条件が満たされていると判定された場合、制御部６０は、部屋内のインテリアゾーンＩＺの温度が安定していると判断し、フラップ２２ａ，２２ｂの状態をスイング状態からペリメータ角度状態に切り換える（ステップＳ１１、ステップＳ１２）。また、判定部６２によって（１）から（５）の条件のうちの少なくとも１つの条件が満たされていないと判定された場合、制御部６０は、部屋内のインテリアゾーンＩＺの温度が安定していないと判断し、フラップ２２ａ，２２ｂの状態をスイング状態で維持する。さらに、ステップ１０において、判定部６２によって（７）の条件が満たされていないと判定された場合、制御部６０は、部屋内のインテリアゾーンＩＺの温度が安定していないと判断し、フラップ２２ａ，２２ｂの状態をスイング状態で維持する。そして、所定時間経過後、再び、判定部６２によって（７）の条件が満たされているか否かが判定される。なお、（７）の条件が満たされているか否かの判定は、（７）の条件が満たされるまで繰り返される。
【００７１】
フラップ２２ａ，２２ｂの状態がペリメータ角度状態に切り換えられると、次に、制御部６０は、フラップ２２ａ，２２ｂの状態をペリメータ角度状態からスイング状態に切り換える条件である切り換え条件が満たされているか否かを判断する（ステップＳ１３）。制御部６０は、（１）から（５）の切り換え条件のうちの少なくとも１つの切り換え条件が満たされていると判断した場合、フラップ２２ａ，２２ｂの状態をペリメータ角度状態からスイング状態に切り換える（ステップＳ１４〜ステップＳ１９）。また、ステップＳ１３において、（１）から（５）の切り換え条件のうちの少なくとも１つの切り換え条件が満たされていると判断されるまで、制御部６０は、フラップ２２ａ，２２ｂの状態をペリメータ角度状態で維持する。
【００７２】
また、フラップ２２ａ，２２ｂの状態がペリメータ角度状態からスイング状態に切り換えられると、制御部６０は、上記ステップＳ１〜ステップＳ１９を繰り返す。
【００７３】
このようにして、この空気調和機１００では、冷房運転または暖房運転時においてフラップ２２ａ，２２ｂの状態がスイング状態からペリメータ角度状態に、また、ペリメータ角度状態からスイング状態に切り換わることによって、インテリアゾーンＩＺおよびペリメータゾーンＰＺに調和空気を供給することができる。
【００７４】
なお、空調対象者から、空気調和機１００の運転停止の指示があった場合、制御部６０は、室内機１内および室外機３内の各種機器を制御することによって空気調和機１００の運転を停止させ、パネル２１およびフラップ２２ａ，２２ｂをともに閉状態に切り換える。
【００７５】
＜特徴＞
（１）
近年の空気調和機には、屋外の温度の影響を受けた空気がインテリアゾーンに進出することを防ぐために、窓や壁面近傍にエアバリアを形成する機能を有するものがある。例えば、特開２０００−３３７６５１号公報に開示されている空気調和機では、エアバリアを形成するための専用の吹き出し口から窓や壁面近傍に向けて調和空気を吹き出すことで、ペリメータゾーンにエアバリアを形成している。この空気調和機では、窓や壁面近傍の空気がインテリアゾーンへ進出するおそれを減らしている。これによって、部屋内の快適性を維持している。ところで、この空気調和機では、ペリメータゾーンにエアバリアを形成するために、エアバリアを形成するための専用の吹き出し口が設けられている。
【００７６】
そこで、上記実施形態では、制御部６０は、判定部６２の判定に基づいて、部屋内のインテリアゾーンＩＺの温度が安定していると判断した場合、フラップ２２ａ，２２ｂの状態をスイング状態からペリメータ角度状態に切り換える。また、制御部６０は、切り換え条件のうちの少なくとも１つの条件が満たされていると判断した場合に、フラップ２２ａ，２２ｂの状態をペリメータ角度状態からスイング状態に切り換える。このため、吹き出し開口２４ａ，２４ｂから吹き出される空気の吹き出し方向を変更することによって、スイング状態における風向範囲内よりもペリメータゾーンＰＺを向く角度に空気を吹き出し、壁際、すなわち、ペリメータゾーンＰＺで空気の循環サイクルを形成し、ペリメータゾーンＰＺにエアバリアを形成することができる。したがって、壁面Ｗ近傍の空気がインテリアゾーンへ進出するおそれを減らすことができる。
【００７７】
これによって、冬季において暖房運転が行われている場合には窓や壁面からの冷輻射および冷気侵入を抑えることができ、夏季において冷房運転が行われている場合には窓や壁面からの日射による影響を抑えることができている。
【００７８】
また、制御部６０は、判定部６２の判定に基づいて、部屋内のインテリアゾーンＩＺの温度が安定していないと判断した場合、フラップ２２ａ，２２ｂの状態をスイング状態で維持している。このため、部屋内のインテリアゾーンＩＺの温度が安定していない場合には、ペリメータゾーンＰＺよりもインテリアゾーンＩＺに調和空気が吹き出されることになる。
【００７９】
これによって、専用の吹き出し開口を設けなくても、部屋内の快適性を維持することができている。
【００８０】
（２）
上記実施形態では、制御部６０は、室温サーミスタ３３によって検知される部屋内のインテリアゾーンＩＺの温度情報を取得する機能を有する取得部６１を含む。制御部６０は、暖房運転時であり、かつ、フラップ２２ａ，２２ｂの状態がペリメータ角度状態である場合には、取得部６１の機能を停止させる。また、制御部６０は、フラップ２２ａ，２２ｂの状態がペリメータ角度状態からスイング状態に切り換わった時から所定時間（例えば、１５０秒）が経過するまで、取得部６１の機能を停止させる。さらに、室温サーミスタ３３は、室内機１内部の第１開口２３近傍に配置されている。このため、フラップ２２ａ，２２ｂの状態が、ペリメータ角度状態時、または、ペリメータ角度状態からスイング状態に切り換わった直後に、ショートサーキット現象が発生した場合でも、不正確な温度情報を取得するおそれを減らすことができている。
【００８１】
また、暖房運転時であって、フラップ２２ａ，２２ｂの状態がペリメータ角度状態である場合、調和空気として、主に、暖かい空気が室内機本体２の下側に吹き出される。このように、暖かい空気が室内機本体２の下側に吹き出されることで、または、吹き出し開口２４ａ，２４ｂから吹き出された暖かい空気が部屋内の上部に溜まることで、室内機１周辺が暖められる可能性がある。このとき、室温サーミスタが室内機近傍に配置されている場合には、不正確な温度情報を取得するおそれがある。
【００８２】
そこで、上記実施形態では、制御部６０は、暖房運転時であり、かつ、フラップ２２ａ，２２ｂの状態がペリメータ角度状態である場合には、取得部６１の機能を停止させる。このため、不正確な温度情報を取得するおそれを減らすことができている。
【００８３】
（３）
上記実施形態では、吸い込み側流路１９ａを介して室内機ケーシング１３内部に連通するように設けられている第１開口２３が、室内機本体２の吹き出し側流路１９ｂに一致する位置に配置される第２開口３０よりも部屋内の壁面Ｗ側に設けられている。このため、第２開口が第１開口よりも部屋内の壁面側に設けられている場合と比較して、ペリメータゾーンＰＺにエアバリアを形成しやすくすることができている。
【００８４】
＜変形例および参考例＞
（変形例Ａ）
上記実施形態では、フラップ２２ａ，２２ｂの状態がペリメータ角度状態である場合の風量は、実施されている空気調和機１００の運転時の風量と等しい風量である。しかし、ペリメータゾーンＰＺにエアバリアを形成することができる最小限の風量（例えば、サーモオフ時の風量と等しい風量）をペリメータ角度状態の風量に設定することによって、室内ファンの回転数を減らすことができる。
【００８５】
これによって、省エネルギーを実現させることができる。
【００８６】
また、フラップの状態がペリメータ角度状態である場合の風量を所定の風量とした場合に、制御部が、複数回に分けて室内ファンの回転数を変化させることで室内ファンの風量が所定の風量となるように、室内ファンの回転を制御してもよい。具体的には、フラップの状態がスイング状態である時の室内ファンの風量から所定の風量に変更する場合に、制御部は、所定時間毎に所定回転数ずつ室内ファンの回転数を変化させることで所定の風量となるように、室内ファンの回転を制御する。このように、室内ファンの回転数を除々に変化させることで、室内ファンの回転音が急に変化するおそれを減らすことができる。
【００８７】
これによって、ユーザに不快感を与えるおそれを減らすことができる。
【００８８】
さらに、フラップの状態がスイング状態からペリメータ角度状態に切り換わっている途中、または、フラップの状態がペリメータ角度状態に切り換わったときの方が、フラップの状態がスイング状態である場合と比較して、吹き出し開口の面積が小さくなるように構成されている場合には、サージング音が発生するおそれがある。このため、制御部は、フラップの状態をペリメータ角度状態に切り換える前に、室内ファンが所定の風量となるように室内ファンの回転を制御してもよい。
【００８９】
このように、室内ファンが所定の風量となった後に、フラップの状態がペリメータ角度状態に切り換えられることで、サージング音を軽減することができる。
【００９０】
また、パネルが第１開口の１００％を覆い、フラップが吹き出し開口の１００％を覆うような空気調和機では、上記実施形態の空気調和機１００と比較して、サージングが起こりやすい構造となる。このようなサージングの起こりやすい構造の空気調和機の場合には、室内ファンによって吹き出される空気の風量に上限を設けることによって、振動音等の騒音を防止することができる。
【００９１】
（参考例Ｂ）
上記実施形態では、空気調和機１００は、天井に埋め込まれた状態で設置される天井埋込型の室内機１を備えている。
【００９２】
これに代えて、空気調和機が、部屋内の壁面Ｗ１に設置される壁掛型の室内機１０１を備えていてもよい。以下に、部屋内の壁面Ｗ１に設置される壁掛型の室内機１０１について説明する。
【００９３】
室内機１０１は、図１４、図１５、図１６図１７および図１８に示すように、室内機ケーシング１１３を有している。室内機ケーシング１１３は、略直方体形状であり、その背面が部屋の壁面Ｗ１に取り付けられている。また、室内機ケーシング１１３内には、室内熱交換器１０４および室内ファン１０５等が収容されている。
【００９４】
室内熱交換器１０４は、接触する部屋内の空気との間で熱交換を行う。また、室内ファン１０５は、部屋内の空気を吸い込んで室内熱交換器１０４に通し、熱交換が行われた後の空気を部屋内に排出するためのクロスフローファンである。室内ファン１０５は、長細い円筒形状に構成されており、中心軸が水平方向に平行になるように配置されている。さらに、室内ファン１０５は、室内ファンモータ（図示せず）によって回転駆動される。
【００９５】
また、室内機ケーシング１１３の上面には、部屋内の空気を室内機ケーシング１１３の内部に取り込むための吸い込み開口１２３が形成されている。このため、吸い込み開口１２３から取り込まれた部屋内の空気は、室内機ケーシング１１３内部の室内熱交換器１０４等によって調和される。
【００９６】
さらに、室内機ケーシング１１３の前面下部には、吹き出し開口１３０が形成されている。また、吹き出し開口１３０の近傍には、フラップ１２２が設けられている。フラップ１２２は、室内機ケーシング１１３の長手方向に長い形状を有する板状の部材であり、室内機ケーシング１１３の長手方向に平行な回転軸１２８と、フラップ駆動モータ（図示せず）とを有している。フラップ１２２は、フラップ駆動モータによって回転軸１２８を中心に回転されることで、吹き出し開口１３０を遮蔽または開放する。また、フラップ１２２の水平面に対する傾斜角度を調整することで、フラップ１２２は、吹き出し開口１３０から部屋内に吹き出される空気の風向を変更することができる。なお、空気調和機から空気が吹き出される部屋内とは、空調対象者の居住空間であるインテリアゾーンＩＺと、インテリアゾーンＩＺよりも窓Ｗ２や壁面Ｗ１近傍の空間であるペリメータゾーンＰＺとを有する室内空間である。また、フラップ１２２は、空気調和機の運転動作等に応じて、３つの状態（閉状態、スイング状態およびペリメータ角度状態）になることが可能である。次に、フラップ１２２の各状態について説明する。
【００９７】
閉状態においては、図１４に示すように、フラップ１２２は、吹き出し開口１３０を概ね閉じた状態となる。
【００９８】
スイング状態においては、図１５および図１６に示すように、フラップ１２２は、吹き出し開口１３０から吹き出される空気の吹き出し方向がインテリアゾーンＩＺを向く角度範囲内を、回転軸１２８を中心に可変する。このため、スイング状態では、吹き出し開口１３０からインテリアゾーンＩＺに対して所定の風向範囲内で空気が吹き出される。なお、図１５には、スイング状態において、吹き出し開口１３０から吹き出される空気の風向（第１風向に相当）の一例を矢印Ａ３で示している。
【００９９】
ペリメータ角度状態では、図１７および図１８に示すように、フラップ１２２は、吹き出し開口１３０から吹き出される空気の吹き出し方向がペリメータゾーンＰＺを向く角度となる。このため、ペリメータ角度状態では、吹き出し開口１３０からインテリアゾーンＩＺよりもペリメータゾーンＰＺにより多くの空気が吹き出される。なお、図１７には、ペリメータ角度状態において、吹き出し開口１３０から吹き出される空気の風向（第２風向に相当）を矢印Ａ４で示している。
【０１００】
以上のような構成を有する室内機１０１において、例えば、フラップ１２２の状態がスイング状態である場合に、室内ファン１０５を回転させると、図１６に示すように、部屋内の空気が吸い込み開口１２３から吸い込まれて室内熱交換器１０４へと送られる。室内熱交換器１０４に送られた空気は、室内熱交換器１０４を通過する際に温度調節され調和空気となる。そして、室内熱交換器１０４を通過した調和空気は、吹き出し開口１３０から部屋内のインテリアゾーンＩＺへ供給される。
【０１０１】
また、フラップ１２２の状態がペリメータ角度状態である場合に、室内ファン１０５を回転させると、図１８に示すように、部屋内の空気が吸い込み開口１２３から吸い込まれて室内熱交換器１０４へと送られる。室内熱交換器１０４に送られた空気は、室内熱交換器１０４を通過する際に温度調節され調和空気となる。そして、室内熱交換器１０４を通過した調和空気は、吹き出し開口１３０から部屋内のペリメータゾーンＰＺに供給される。
【０１０２】
このような壁掛型の室内機１０１を備える空気調和機においても、上記実施形態と同様に、制御部によって、部屋内のインテリアゾーンＩＺの温度が安定していると判断された場合にはフラップ１２２の状態がスイング状態からペリメータ角度状態に切り換えられたり、切り換え条件のうちの少なくとも１つの条件が満たされている場合にはフラップ１２２の状態をペリメータ角度状態からスイング状態に切り換えられたりする制御が行われることで、ペリメータゾーンＰＺにエアバリアを形成することができる。したがって、窓Ｗ２や壁面Ｗ１の空気がインテリアゾーンＩＺへ進出するおそれを減らすことができる。
【０１０３】
これによって、冬季において暖房運転が行われている場合には窓Ｗ２や壁面Ｗ１からの冷輻射および冷気侵入を抑えることができ、夏季において冷房運転が行われている場合には窓Ｗ２や壁面Ｗ１からの日射による影響を抑えることができる。
【０１０４】
なお、図１５および図１７において、符号１３３は、部屋内のインテリアゾーンＩＺの温度情報を検知するための室温サーミスタを示している。
【０１０５】
（変形例Ｃ）
上記実施形態では、判定部６２によって、（１）から（７）の条件が満たされているか否かが判定されている。また、制御部６０は、判定部６２による判定に基づいて、部屋内のインテリアゾーンＩＺの温度が安定しているか否かを判断している。
【０１０６】
これに代えて、部屋内のインテリアゾーンの温度が安定しているか否かを判断するために判定部によって判定される条件として、（１）から（７）の条件の他に、以下の条件が含まれていてもよい。
【０１０７】
（８）フラップの状態がスイング状態となってから所定時間（第５所定時間および第８所定時間に相当）以上経過している
（９）圧縮機の運転周波数（Ｈｚ）が所定範囲内にある状態での暖房運転または冷房運転が所定時間以上行われている
（１０）室内熱交換器の温度が所定範囲内にある状態での暖房運転または冷房運転が所定時間以上行われている
（１１）電動膨張弁の開度が所定範囲内である状態が所定時間以上経過している
（１２）部屋内のインテリアゾーンの温度が所定範囲内である状態が所定時間以上経過している
（１３）所定時間内における部屋内のインテリアゾーンの温度と設定温度の偏差が所定範囲内である
なお、制御部は、判定部によって、（１）から（８）の条件が満たされていると判定され、かつ、（９）から（１３）の条件のうちのいずれか１つが満たされたと判定された場合に、部屋内のインテリアゾーンの温度が安定していると判断する。また、上述の（９）から（１３）の条件は、能力供給中、すなわち、圧縮機の作動中において判定される条件である。
【０１０８】
（変形例Ｄ）
上記実施形態では、制御部６０は、（１）から（５）の切り換え条件のうちの少なくとも１つの条件が満たされていると判断した場合に、フラップ２２ａ，２２ｂの状態をペリメータ角度状態からスイング状態に切り換える。
【０１０９】
これに加えて、切り換え条件として、（１）から（５）の条件の他に条件が含まれていてもよい。
【０１１０】
（６）空気調和機において運転が停止された
（７）運転モードが変更された
（８）フラップの状態がペリメータ角度状態となった時の室内熱交換器の温度から所定温度以上室内熱交換器の温度が上昇している
制御部は、（１）から（８）の切り換え条件のうち、少なくとも１つの条件が満たされていると判断した場合に、フラップの状態をペリメータ角度状態からスイング状態に切り換える。例えば、（８）の条件が満たされた場合には、過剰なショートサーキットを防止することができる。
【０１１１】
（参考例Ｅ）
上記実施形態では、ペリメータ角度状態において、フラップ２２ｂは、吹き出し開口２４ｂから吹き出される空気の吹き出し方向がペリメータゾーンＰＺを向く角度に固定されている。
【０１１２】
これに代えて、ペリメータ角度状態においてフラップの角度が固定されていなくてもよい。また、スイング状態において空気が吹き出される範囲とペリメータ角度状態において空気が吹き出される範囲との一部が重なっていてもよい。
【０１１３】
例えば、スイング状態（第１風向状態に相当）においては、図１９に示すように、フラップ２２２ａ，２２２ｂは、吹き出し開口２２４ａ，２２４ｂから吹き出される空気の吹き出し方向が主にインテリアゾーンＩＺを向く角度範囲内を、回転軸を中心に可変する。このため、スイング状態では、吹き出し開口２２４ａ，２２４ｂから主にインテリアゾーンＩＺに対して所定の風向範囲Ｂ１内に空気が吹き出される。なお、図１９には、スイング状態において、吹き出し開口２２４ａ，２２４ｂから吹き出される空気の風向のうち最も部屋の壁面Ｗ１および窓Ｗ２側に吹き出される風向を符号Ａ６で示し、吹き出し開口２２４ａ，２２４ｂから吹き出される空気の風向のうち最も部屋の壁面Ｗ１および窓Ｗ２側から遠い側、すなわち、部屋内の中央空間側に吹き出される風向を符号Ａ５で示している。言い換えると、スイング状態における所定の風向範囲Ｂ１とは、風向Ａ５から風向Ａ６までの範囲のことである。
【０１１４】
また、ペリメータ角度状態（第２風向状態に相当）では、図１９に示すように、フラップ２２２ａ，２２２ｂは、吹き出し開口２２４ａ，２２４ｂから吹き出される空気の吹き出し方向が主にペリメータゾーンＰＺを向く角度範囲内を、回転軸を中心に可変する。このため、ペリメータ角度状態では、吹き出し開口２２４ａ，２２４ｂから主にペリメータゾーンＰＺに対して所定の風向範囲Ｂ２内に空気が吹き出される。なお、ペリメータ角度状態では、所定の風向範囲Ｂ２内に空気が吹き出されることで、インテリアゾーンＩＺよりもペリメータゾーンＰＺに対してより多くの空気が吹き出される。また、図１９には、ペリメータ角度状態において、吹き出し開口２２４ａ，２２４ｂから吹き出される空気の風向のうち最も部屋の壁面Ｗ１および窓Ｗ２側に吹き出される風向を符号Ａ８で示し、吹き出し開口２２４ａ，２２４ｂから吹き出される空気の風向のうち最も部屋の壁面Ｗ１および窓Ｗ２側から遠い側に吹き出される風向を符号Ａ７で示している。言い換えると、ペリメータ角度状態における所定の風向範囲Ｂ２とは、風向Ａ７から風向Ａ８までの範囲のことである。また、本変形例では、ペリメータ角度状態における風向Ａ７は、スイング状態における風向Ａ５よりも、部屋の壁面Ｗ１および窓Ｗ２側に向かう風向である。また、ペリメータ角度状態における風向Ａ８は、スイング状態における風向Ａ６よりも、部屋の壁面Ｗ１および窓Ｗ２側に向かう風向である。
【０１１５】
このように、ペリメータ角度状態における風向範囲Ｂ２がスイング状態における風向範囲Ｂ１よりもペリメータゾーンＰＺ側に配されることによって、ペリメータゾーンＰＺにエアバリアを形成することができる。したがって、壁面Ｗ１および窓Ｗ２近傍の空気がインテリアゾーンへ進出するおそれを減らすことができる。
【０１１６】
これによって、冬季において暖房運転が行われている場合には窓や壁面からの冷輻射および冷気侵入を抑えることができ、夏季において冷房運転が行われている場合には窓や壁面からの日射による影響を抑えることができる。
【０１１７】
なお、図１９において、符号２２１はパネルを示し、符号２２３は第１開口を示している。
【産業上の利用可能性】
【０１１８】
本発明は、専用の吹き出し口を設けなくても、部屋内の快適性を維持することができるため、空気調和機への適用が有効である。
【符号の説明】
【０１１９】
２０      化粧パネル（ケーシング）
２３      第１開口（吸い込み開口）
６０      制御部
６１      取得部
６２      判定部
１００      空気調和機
１１３      室内機ケーシング（ケーシング）
４，１０４  室内熱交換器（熱交換器）
５，１０５  室内ファン（ファン）
２２ａ，２２ｂ，１２２，２２２ａ，２２２ｂ  フラップ（風向調整部）
２４ａ，２４ｂ，１２４，２２４ａ，２２４ｂ  吹き出し開口
【先行技術文献】
【特許文献】
【０１２０】
【特許文献１】特開２０００−３３７６５１号公報
【手続補正２】
【補正対象書類名】特許請求の範囲
【補正対象項目名】全文
【補正方法】変更
【補正の内容】
【特許請求の範囲】
【請求項１】
吹き出し開口と吸い込み開口（２３）とが形成されているケーシング（２０）と、
前記吹き出し開口（２４ａ，２４ｂ）から所定の風向範囲内に吹き出す空気の吹き出し方向である第１風向（Ａ１）と、前記吹き出し開口から前記所定の風向範囲よりも部屋の壁面（Ｗ）側に吹き出す空気の吹き出し方向である第２風向（Ａ２）とを切り換え可能な風向調整部（２２ａ，２２ｂ）と、
前記部屋内の温度が安定しているか否かを判定し、前記温度が安定していない状態である第１状態の場合は前記第１風向となるように前記風向調整部の切り換え動作を制御し、前記第１状態とは別の状態であり前記温度が安定している状態である第２状態の場合は前記第２風向となるように前記風向調整部の切り換え動作を制御する制御部（６０）と、
前記部屋内の温度情報を取得する機能を有する取得部（６１）と、を備え、
前記吸い込み開口は、前記吹き出し開口よりも前記壁面側に設けられており、
前記制御部は、暖房運転時において、前記吹き出し開口からの空気の吹き出し方向が前記第２風向である場合に、前記取得部を前記機能が停止している状態である機能停止状態にすることが可能である、
空気調和機（１００）。
【請求項２】
前記制御部は、前記吹き出し開口からの空気の吹き出し方向が前記第２風向から前記第１風向に切り換わった時から第１所定時間が経過するまで、前記取得部を前記機能停止状態にすることが可能である、
請求項１に記載の空気調和機。
【請求項３】
前記制御部は、前記部屋内の温度が安定しているか否かを判定する判定部（６２）を有し、
前記判定部は、前記部屋内の温度情報を利用して算出される前記部屋内の温度と予め設定されている設定温度との差が所定範囲内であるという第１条件、前記暖房運転を含む空気調和運転の運転開始時から第２所定時間以上経過しているという第２条件、前記取得部が前記機能停止状態になった時から第３所定時間以上経過している第３条件、および、前記吹き出し開口からの空気の吹き出し方向が前記第１風向である状態が第５所定時間以上経過しているという第４条件のうちの少なくとも１つの条件を満たしている場合に、前記部屋内の温度が安定していると判定する、
請求項１または２に記載の空気調和機。
【請求項４】
前記ケーシング内に取り込まれた前記部屋内の空気との間で熱交換を行う熱交換器（４，１０４）を更に備え、
前記制御部は、前記風向調整部が前記第１風向から前記第２風向に切り換えられてから第４所定時間以上経過しているという第１切り換え条件、前記熱交換器の温度が所定温度以上であるという第２切り換え条件、前記温度情報を利用して算出される前記部屋内の温度と予め設定されている設定温度との差が前記所定範囲外であるという第３切り換え条件、および、除霜運転が行われているという第４切り換え条件のうちの少なくとも１つの切り換え条件を満たす場合に、前記第２風向から前記第１風向に前記風向調整部の切り換え動作を制御する、
請求項３に記載の空気調和機。
【請求項５】
前記ケーシング内に収容されており、前記吹き出し開口から吹き出される空気流を生成可能なファン（５，１０５）を更に備え、
前記制御部は、前記第２風向時に前記ファンが所定の風量となるように、前記ファンの回転を制御する、
請求項１から４のいずれかに記載の空気調和機。
【請求項６】
前記制御部は、複数回に分けて前記ファンの回転数を変化させることで前記ファンが前記所定の風量となるように、前記ファンの回転を制御する、
請求項５に記載の空気調和機。
【請求項７】
前記制御部は、前記第１風向から前記第２風向に前記風向調整部の切り換え動作を制御する場合に、前記風向調整部の切り換え動作を制御する前に前記ファンが前記所定の風量となるように前記ファンの回転を制御する、
請求項５または６に記載の空気調和機。